(57)【要約】【課題】電力が供給される機器に加えて、電力を供給する機器が電力線に接続されていても、電力量が測定可能であり、電流検出用素子が電力線に誤った向きで配置されていることを判定可能な電力測定装置、判定方法、およびプログラムを提供する。【解決手段】電力測定部１３は、電流測定部１２で測定された電流と電圧測定部１１で測定された電圧とから、機器に供給された電力量、または機器から供給された電力量を、カレントトランスＣＴ毎に測定する。符号記憶部は、カレントトランスＣＴが電力線に正しい向きで配置された場合に電力測定部で測定される電力量の符号が、正を示すか、負を示すかを、カレントトランスＣＴ毎に記憶する。判定部は、符号記憶部に記憶された符号と電力測定部１３で測定された電力量の符号とが異なっていれば、カレントトランスＣＴが電力線に誤った向きで配置されていると判定する。【選択図】図２
2015001403.tif 000002
【特許請求の範囲】
【請求項１】
複数相の電力を送電する複数の電力線に接続され、各相の電圧を測定する電圧測定部と、
前記電力線の外周に配置された電流検出用素子を通じて、前記電力線に接続された機器に入力される電流、または前記機器から出力される電流を測定する電流測定部と、
前記電流測定部で測定された電流と前記電圧測定部で測定された電圧とから、前記機器に供給された電力量、または前記機器から供給された電力量を、前記電流検出用素子毎に測定する電力測定部と、
前記電流検出用素子が前記電力線に正しい向きで配置された場合に前記電力測定部で測定される電力量の符号が、正を示すか、負を示すかを、前記電流検出用素子毎に記憶する符号記憶部と、
前記符号記憶部に記憶された符号と前記電力測定部で測定された電力量の符号とが異なっていれば、前記電流検出用素子が前記電力線に誤った向きで配置されていると判定する判定部と、
を備える電力測定装置。
【請求項２】
前記機器に接続された電力線は、主開閉器の一方の端子に接続されており、
前記主開閉器は、他方の端子に、外部の電線に接続された分配線が接続されており、
前記電流検出用素子は、更に、前記分配線の外周に配置されており、
前記電力測定部は、更に、前記主開閉器に接続された分配線を通じて前記外部の電線に接続されている外部の負荷に供給された電力量を、前記分配線の外周に配置された電流検出用素子毎に測定するものであり、
前記符号記憶部は、更に、前記電力線または前記分配線に前記電流検出用素子が正しい向きで配置された場合に前記電力測定部で測定される電力量の符号が、正を示すか、負を示すか、正と負との両方を示すかを、前記電流検出用素子毎に記憶するものであり、
前記電力測定部で測定された電力量の符号と前記符号記憶部に記憶された符号とに基づいて、前記分配線から前記外部の電線に向けて電流が流れているか否かを判定する電流判定部と、
前記分配線から前記外部の電線に向けて電流が流れていると前記電流判定部で判定された場合、前記電力測定部で測定された電力量の符号と前記符号記憶部に記憶された符号とに基づいて、前記機器から出力された電流を流している状態の電力線を示す情報を特定する特定部と、
前記電力測定部で測定された電力量から求められた、前記外部の電線を通じて前記外部の負荷に供給した電力量が、前記電力測定部で測定された電力量から求められた、前記特定部で特定された情報で示される電力線を伝送した電力量の合計値以下であるかを判定する合計値判定部と、
前記外部の負荷に供給した電力量が前記合計値を超えていると前記合計値判定部で判定されると、前記電流検出用素子が前記電力線に誤った向きで配置されていると判定する誤配置判定部と、
を備える請求項１に記載の電力測定装置。
【請求項３】
前記電流検出用素子が前記電力線に誤った向きで配置されていると誤配置判定部で判定されると、前記電流検出用素子が前記電力線に誤った向きで配置されていることを報知する報知部、
を備える請求項２に記載の電力測定装置。
【請求項４】
前記電力線または前記分配線に前記電流検出用素子が正しい向きで配置された場合に前記電力測定部で測定される電力量の符号が、正を示すか、負を示すか、正と負との両方を示すかを、前記電力線または前記分配線を示す情報毎に記憶する電力線記憶部と、
前記電流検出用素子をどの電力線またはどの分配線に配置したかを示す配置情報を、ユーザから受け付ける受付部と、
前記電力線または前記分配線に前記電流検出用素子が正しい向きで配置された場合に前記電力測定部で測定される電力量の符号が、正を示すか、負を示すか、正と負との両方を示すかを、前記受付部で受け付けられた前記配置情報と前記電力線記憶部に記憶された符号とに基づいて、前記電流検出用素子毎に特定し、特定した結果を、前記符号記憶部に記憶させる記憶制御部と、
を備える請求項３に記載の電力測定装置。
【請求項５】
前記電圧測定部は、前記電力線に接続された端子を通じて、各相の電圧を測定するものであり、
前記電圧測定部で測定された各相の電圧が予め定められた範囲内であるかを判定する電圧判定部を備え、
前記報知部は、前記測定された各相の電圧が予め定められた範囲外であると判定すると、前記端子が前記電力線に誤って接続されていることを報知する、
請求項３または４に記載の電力測定装置。
【請求項６】
前記電流検出用素子が前記電力線に正しい向きで配置されていると前記判定部で判定された場合、前記電力測定部で測定された電力量を外部の装置に出力する出力部、
を備える請求項１から５のいずれかに記載の電力測定装置。
【請求項７】
電流検出用素子が正しい向きで配置されているか否かを判定するための判定方法であって、
複数相の電力を送電する複数の電力線に印加されている各相の電圧を、電力測定装置が測定する電圧測定ステップと、
前記電力線の外周に配置された電流検出用素子を通じて、前記電力線に接続された機器に入力される電流、または前記機器から出力される電流を、前記電力測定装置が測定する電流測定ステップと、
前記電流測定ステップで測定された電流と前記電圧測定ステップで測定された電圧とから、前記機器に供給された電力量、または前記機器から供給された電力量を、前記電流検出用素子毎に前記電力測定装置が測定する電力測定ステップと、
前記電流検出用素子が前記電力線に正しい向きで配置された場合に前記電力測定ステップで測定される電力量の符号が、正を示すか、負を示すかを前記電流検出用素子毎に表した情報に含まれている符号と、前記電力測定ステップで前記電流検出用素子毎に測定された電力量の符号とが、異なっていれば、前記電流検出用素子が前記電力線に誤った向きで配置されていると前記電力測定装置が判定する判定ステップと、
を含む判定方法。
【請求項８】
コンピュータに、
複数相の電力を送電する複数の電力線に印加されている各相の電圧を測定する電圧測定部から、前記各相の電圧の測定値を受け取る電圧測定機能、
前記電力線の外周に配置された電流検出用素子を通じて、前記電力線に接続された機器に入力される電流、または前記機器から出力される電流を測定する電流測定部から、前記電流の測定値を受け取る電流測定機能、
前記電流測定機能で受け取られた電流の測定値と前記電圧測定機能で受け取られた電圧の測定値とから、前記機器に供給された電力量、または前記機器から供給された電力量を、前記電流検出用素子毎に測定する電力測定機能、
前記電流検出用素子が前記電力線に正しい向きで配置された場合に前記電力測定機能で測定される電力量の符号が、正を示すか、負を示すかを前記電流検出用素子毎に表した情報に含まれている符号と、前記電力測定機能で前記電流検出用素子毎に測定された電力量の符号とが、異なっていれば、前記電流検出用素子が前記電力線に誤った向きで配置されていると判定する判定機能、
を実現するプログラム。
【発明の詳細な説明】
【技術分野】
【０００１】
本発明は、電力測定装置、判定方法、およびプログラムに関する。
【背景技術】
【０００２】
三相交流電源から電力線を通じて負荷に供給された電力量を測定する装置として、特許文献１に記載の結線状態検出装置が知られている。この結線状態検出装置は、相電圧の測定のために電力線に接続される鰐口クリップ（端子）の接続と、相電流の測定のために電力線の外周に配置されるクランプセンサ（変流器）の配置とが、誤っていないかを、次のようにして判定する。
【０００３】
この結線状態検出装置は、端子を通じて測定した相電圧から、相電圧の実効値が予め定められた範囲内であるかと、相順が予め定めた順であるかと、を判定する。また、この結線状態検出装置は、端子を通じて測定した相電圧および変流器を通じて測定した相電流から、相電圧と相電流との相毎の位相差が予め定められた範囲内であるかと、相電圧または相電流が無入力であるかと、を判定する。
【０００４】
そして、この結線状態検出装置は、相電圧の実効値が予め定められた範囲を外れている場合、相順が予め定めた順と異なる場合、相電圧と相電流との相毎の位相差が予め定められた範囲を外れている場合、相電圧または相電流が無入力である場合のいずれかの場合に、端子の接続または変流器の配置が誤っていると判定する。
【先行技術文献】
【特許文献】
【０００５】
【特許文献１】特開２０００−２５８４８４号公報
【発明の概要】
【発明が解決しようとする課題】
【０００６】
ここで、この結線状態検出装置は、電力を消費する機器（言い換えれば、電力が供給される機器）を想定して構成されている。よって、電力線に接続された例えば太陽光発電システム（言い換えれば、電力を供給する機器）が逆潮流を発生させた場合、この結線状態検出装置は、電力が消費されたとして電力量を求める。
【０００７】
よって、この結線状態検出装置は、電力線に接続された例えば太陽光発電システムが逆潮流を発生させて電力を供給しても、その電力量を測定することができない。
【０００８】
更には、この結線状態検出装置は、例えば太陽光発電システムが電力線に接続された場合、その電力線を流れる電流を検出する変流器等の電流検出用素子の向き（電力線に対する配置）が、正しいか否かも判定できない。
【０００９】
本発明は、上記実情に鑑みてなされたものであり、電力が供給される機器に加えて、電力を供給する機器が電力線に接続されていても、電力量が測定可能であり、電流検出用素子が電力線に誤った向きで配置されていることを判定可能な電力測定装置、判定方法、およびプログラムを提供することを目的とする。
【課題を解決するための手段】
【００１０】
上記目的を達成するために、本発明に係る電力測定装置の電圧測定部は、複数相の電力を送電する複数の電力線に接続され、各相の電圧を測定する。電流測定部は、電力線の外周に配置された電流検出用素子を通じて、電力線に接続された機器に入力される電流、または前記機器から出力される電流を測定する。電力測定部は、電流測定部で測定された電流と電圧測定部で測定された電圧とから、機器に供給された電力量、または機器から供給された電力量を、電流検出用素子毎に測定する。符号記憶部は、電流検出用素子が電力線に正しい向きで配置された場合に電力測定部で測定される電力量の符号が、正を示すか、負を示すかを、電流検出用素子毎に記憶する。判定部は、符号記憶部に記憶された符号と電力測定部で測定された電力量の符号とが異なっていれば、電流検出用素子が電力線に誤った向きで配置されていると判定する。
【発明の効果】
【００１１】
電力測定部は、電流測定部で測定された電流と電圧測定部で測定された電圧とから、機器に供給された電力量、または機器から供給された電力量を、電流検出用素子毎に測定する。よって、本発明によれば、電力が供給される機器に加えて、電力を供給する機器が電力線に接続されていても、電力量を測定可能である。
【００１２】
また、判定部は、符号記憶部に記憶された符号と電力測定部で測定された電力量の符号とが異なっていれば、電流検出用素子が電力線に誤った向きで配置されていると判定する。よって、本発明によれば、電力が供給される機器に加えて、電力を供給する機器が電力線に接続されていても、電流検出用素子が電力線に誤った向きで配置されていることを判定可能である。
【図面の簡単な説明】
【００１３】
【図１】本発明の実施の形態に係る電力測定装置の接続図である。
【図２】本発明の実施の形態に係る電力測定装置のブロック図である。
【図３】本発明の実施の形態に係る電圧測定部のブロック図である。
【図４】本発明の実施の形態に係る電流測定部のブロック図である。
【図５】本発明の実施の形態に係る電力測定部のブロック図である。
【図６】本発明の実施の形態に係る電力測定部の内部構成図である。
【図７】本発明の実施の形態に係る演算制御部のブロック図である。
【図８】本発明の実施の形態に係る符号テーブルの例を示す図である。
【図９】本発明の実施の形態に係る配置情報の例を示す図である。
【図１０】本発明の実施の形態に係る符号情報の例を示す図である。
【図１１】本発明の実施の形態に係る符号情報生成処理を示すフローチャートである。
【図１２】本発明の実施の形態に係る判定処理を示すフローチャートである。
【発明を実施するための形態】
【００１４】
以下、本発明の実施の形態に係る電力測定装置１０を、図１〜図１１を参照して説明する。電力測定装置１０は、電力が供給される機器に加えて、電力を供給する機器（逆潮流を発生させる機器）が電力線に接続されていても、電力量が測定可能であり、電流検出用素子であるカレントトランスＣＴが電力線に誤った向きで配置されていることを判定可能である。
【００１５】
電力測定装置１０は、太陽光発電システム（電力を供給する機器）３１から供給された電力量を測定する。
【００１６】
また、電力測定装置１０は、二次電池を備えた蓄電システム３２が充電状態の場合、単相３線式電源の各相に接続された３つの電力線Ｌ１，Ｌ２，Ｎを通じて蓄電システム３２に供給された電力量を測定する。また、電力測定装置１０は、蓄電システム３２が放電状態の場合、蓄電システム３２から供給された電力量を測定する。
【００１７】
また、電力測定装置１０は、電力線Ｌ１，Ｌ２，Ｎを通じて家電機器（電力が供給される機器）３３に供給され・消費された電力量を測定する。
【００１８】
電力測定装置１０は、例えば、分電盤に配置されている。電力線Ｌ１，Ｌ２，Ｎは、単相３線式電源（外部の電線）から分電盤に電力を引き込む分配線の役割を果たす。分電盤には、メインブレーカ（主開閉器）３５が設けられている。電力線Ｌ１，Ｌ２、Ｎは、メインブレーカ３５の一方の端子に接続される。メインブレーカ３５の他方の端子には、屋内配線Ｌ１ａ，Ｌ２ａ，Ｎａが接続されている。電力線Ｌ１と屋内配線Ｌ１ａとが導通し、電力線Ｎと屋内配線Ｎａとが導通し、電力線Ｌ２と屋内配線Ｌ２ａとが導通している。
【００１９】
単相３線式電源は、電力線Ｌ１と基準電力線Ｎとの間に第１相の電圧Ｖａを印加し、電力線Ｌ２と基準電力線Ｎとの間に電圧Ｖａとの位相差が１８０°を示す第２相の電圧Ｖｂを印加する。よって、屋内配線Ｌ１ａと基準屋内配線Ｎａとの間に電圧Ｖａが印加され、屋内配線Ｌ２ａと基準屋内配線Ｎａとの間に電圧Ｖｂが印加される。
【００２０】
屋内配線Ｌ１ａと屋内配線Ｌ２ａと基準屋内配線Ｎａとには、分岐ブレーカ３６ａを介して、太陽光発電システム３１のパワーコンディショナが接続されている。よって、太陽光発電システム３１は、太陽光パネルで発電されると、屋内配線Ｌ１ａおよび屋内配線Ｌ２ａに、交流電流を出力する。つまり、太陽光発電システム３１は、電力を供給する機器（逆潮流を発生させる機器）である。
【００２１】
屋内配線Ｌ１ａと屋内配線Ｌ２ａと基準屋内配線Ｎａとには、分岐ブレーカ３６ｂを介して、蓄電システム３２のパワーコンディショナが接続されている。よって、蓄電システム３２のパワーコンディショナには、充電状態の場合、電圧Ｖａ＋電圧Ｖｂの交流電圧が印加される。また、蓄電システム３２のパワーコンディショナは、放電状態の場合、屋内配線Ｌ１ａおよび屋内配線Ｌ２ａに、交流電流を出力する。つまり、蓄電システム３２は、電力が供給される機器であり、電力を供給する機器（逆潮流を発生させる機器）である。
【００２２】
また、屋内配線Ｌ１ａと基準屋内配線Ｎａとには、分岐ブレーカ３６ｃを介して、家電機器３３が接続されている。また、基準屋内配線Ｎａと屋内配線Ｌ２ａとには、分岐ブレーカ３６ｄを介して、家電機器３３が接続されている。よって、家電機器３３には、電圧Ｖａと電圧Ｖｂとが印加されている。つまり、家電機器３３は、電力が供給される機器である。
【００２３】
電力測定装置１０は、電圧を測定するための端子Ｔ１〜Ｔ３と、電流を測定するためのカレントトランス（Current Transformer：計器用変成器）ＣＴ１〜ＣＴ７と、を備える。
【００２４】
より詳細には、端子Ｔ１は、屋内配線Ｌ１ａを電力測定装置１０に接続するためのものであり、端子Ｔ２は、基準屋内配線Ｎａを電力測定装置１０に接続するためのものであり、端子Ｔ３は、屋内配線Ｌ２ａを電力測定装置１０に接続するためのものである。
【００２５】
カレントトランスＣＴ１は、電力線Ｌ１を流れる電流を測定するためのものであり、カレントトランスＣＴ２は、電力線Ｌ２を流れる電流を測定するためのものである。
【００２６】
また、カレントトランスＣＴ３は、太陽光発電システム３１から屋内配線Ｌ１ａに供給される電流を測定するためのものであり、カレントトランスＣＴ４は、太陽光発電システム３１から屋内配線Ｌ２ａに供給される電流を測定するためのものである。
【００２７】
また、カレントトランスＣＴ５は、屋内配線Ｌ１ａから蓄電システム３２に供給される電流と蓄電システム３２から屋内配線Ｌ１ａに供給される電流とを測定するためのものであり、カレントトランスＣＴ６は、屋内配線Ｌ２ａから蓄電システム３２に供給される電流と蓄電システム３２から屋内配線Ｌ２ａに供給される電流とを測定するためのものである。
【００２８】
そして、カレントトランスＣＴ７は、屋内配線Ｌ１ａから家電機器３３に供給される電流を測定するためのものである。
【００２９】
カレントトランスＣＴ１〜ＣＴ７は、極性を持つ。よって、カレントトランスＣＴ１〜ＣＴ７を予め定められた向き（正しい向き）に配置しないと、電力測定装置１０で求められる電力量の極性が、逆になる。
【００３０】
このため、本実施の形態では、カレントトランスＣＴ１は、電力線Ｌ１から屋内配線Ｌ１ａに向けて電流が流れているときに、電力測定装置１０で求められる電力量の符号が正になる向きに配置する。また、カレントトランスＣＴ２は、電力線Ｌ２から屋内配線Ｌ２ａに向けて電流が流れているときに、電力測定装置１０で求められる電力量の符号が正になる向きに配置する。
【００３１】
また、本実施の形態では、カレントトランスＣＴ３は、太陽光発電システム３１のパワーコンディショナから屋内配線Ｌ１ａに向けて電流が流れているときに、電力測定装置１０で求められる電力量の符号が負になる向きに配置する。また、カレントトランスＣＴ４は、太陽光発電システム３１のパワーコンディショナから屋内配線Ｌ２ａに向けて電流が流れているときに、電力測定装置１０で求められる電力量の符号が負になる向きに配置する。
【００３２】
また、本実施の形態では、カレントトランスＣＴ５は、蓄電システム３２のパワーコンディショナから屋内配線Ｌ１ａに向けて電流が流れているときに、電力測定装置１０で求められる電力量の符号が負になる向きに配置する。また、カレントトランスＣＴ６は、蓄電システム３２のパワーコンディショナから屋内配線Ｌ２ａに向けて電流が流れているときに、電力測定装置１０で求められる電力量の符号が負になる向きに配置する。
【００３３】
また、本実施の形態では、カレントトランスＣＴ７は、屋内配線Ｌ１ａから家電機器３３に向けて電流が流れているときに、電力測定装置１０で求められる電力量の符号が正になる向きに配置する。
【００３４】
電力測定装置１０は、図２に示すように、電圧を測定する電圧測定部１１と、電流を測定する電流測定部１２と、電圧測定部１１で測定された電圧と電流測定部１２で測定された電流とから電力量を求める電力測定部１３と、を備える。
【００３５】
また、電力測定装置１０は、電力測定装置１０全体を制御する演算制御部１４と、施工者（ユーザ）が情報を入力するための入力部１５と、例えばカレントトランスＣＴの向きが誤っていることを示す情報を出力する出力部１６と、を備える。
【００３６】
より詳細には、電圧測定部１１は、端子Ｔ１〜Ｔ３に接続されている。電圧測定部１１は、例えば、ＰＴ（Potential Transformer：計器用変圧器）または抵抗分圧回路を備え、端子Ｔ１〜Ｔ３に印加された電圧（電圧Ｖａおよび電圧Ｖｂ）を、電力測定部１３の入力に適した電圧に変換し、電力測定部１３に出力する。電圧測定部１１は、図３に示すように、電圧Ｖａを測定する第１電圧測定部１１ａと電圧Ｖｂを測定する第２電圧測定部１１ｂとを備える。
【００３７】
より詳細には、第１電圧測定部１１ａは、屋内配線Ｌ１ａと基準屋内配線Ｎａとに接続され、屋内配線Ｌ１ａと基準屋内配線Ｎａとの間の第１相の電圧Ｖａを降圧して、第１相の電圧Ｖａの瞬時値を示す電圧信号（以下、区別のため、電圧検出信号）を生成し、第１電力測定部１３ａに出力する。
【００３８】
第２電圧測定部１１ｂは、基準屋内配線Ｎａと屋内配線Ｌ２ａとに接続され、基準屋内配線Ｎａと屋内配線Ｌ２ａとの間の第２相の電圧Ｖｂを降圧して、第２相の電圧Ｖｂを示す電圧検出信号を生成し、第２電力測定部１３ｂに出力する。
【００３９】
図２に示すように、電流測定部１２は、カレントトランスＣＴ１〜ＣＴ７に接続されている。電流測定部１２は、例えば、負荷抵抗等から構成される。電流測定部１２は、カレントトランスＣＴ１〜ＣＴ７で各電流Ｉ１〜Ｉ７を測定し、測定した電流値（瞬時値）を示す電圧信号（以下、区別のため電流検出信号）を生成し、電力測定部１３に出力する。
【００４０】
電流測定部１２は、電流Ｉ１を測定する第１電流測定部１２ａと、電流Ｉ２を測定する第２電流測定部１２ｂと、電流Ｉ３を測定する第３電流測定部１２ｃと、電流Ｉ４を測定する第４電流測定部１２ｄと、電流Ｉ５を測定する第５電流測定部１２ｅと、電流Ｉ６を測定する第６電流測定部１２ｆと、電流Ｉ７を測定する第７電流測定部１２ｇと、を備える。
【００４１】
より詳細には、第１電流測定部１２ａは、カレントトランスＣＴ１により、電力線Ｌ１から屋内配線Ｌ１ａに向けて流れる電流Ｉ１、または、屋内配線Ｌ１ａから電力線Ｌ１に向けて流れる電流Ｉ１を、一定の変流比で変流し、これを負荷抵抗に流すことで、電流Ｉ１の値を示す電圧信号（電流検出信号）を生成する。第１電流測定部１２ａは、生成した電圧信号を、電力測定部１３（第１電力測定部１３ａ）に出力する。
【００４２】
また、第２電流測定部１２ｂは、カレントトランスＣＴ２により、電力線Ｌ２から屋内配線Ｌ２ａに向けて流れる電流Ｉ２、または、屋内配線Ｌ２ａから電力線Ｌ２に向けて流れる電流Ｉ２を、一定の変流比で変流し、これを負荷抵抗に流すことで、電流Ｉ２の値を示す電圧信号（電流検出信号）を生成する。第２電流測定部１２ｂは、生成した電圧信号を、電力測定部１３（第２電力測定部１３ｂ）に出力する。
【００４３】
また、第３電流測定部１２ｃは、カレントトランスＣＴ３により、太陽光発電システム３１のパワーコンディショナから屋内配線Ｌ１ａに向けて流れる電流Ｉ３を一定の変流比で変流し、これを負荷抵抗に流すことで、電流Ｉ３の値を示す電圧信号（電流検出信号）を生成する。第３電流測定部１２ｃは、生成した電圧信号を、電力測定部１３（第３電力測定部１３ｃ）に出力する。
【００４４】
また、第４電流測定部１２ｄは、カレントトランスＣＴ４により、太陽光発電システム３１のパワーコンディショナから屋内配線Ｌ２ａに向けて流れる電流Ｉ４を一定の変流比で変流し、これを負荷抵抗に流すことで、電流Ｉ４の値を示す電圧信号（電流検出信号）を生成する。第４電流測定部１２ｄは、生成した電圧信号を、電力測定部１３（第４電力測定部１３ｄ）に出力する。
【００４５】
また、第５電流測定部１２ｅは、カレントトランスＣＴ５により、蓄電システム３２のパワーコンディショナから屋内配線Ｌ１ａに向けて流れる電流Ｉ５、または、屋内配線Ｌ１ａから蓄電システム３２のパワーコンディショナに向けて流れる電流Ｉ５を、一定の変流比で変流し、これを負荷抵抗に流すことで、電流Ｉ５の値を示す電圧信号（電流検出信号）を生成する。第５電流測定部１２ｅは、生成した電圧信号を、電力測定部１３（第５電力測定部１３ｅ）に出力する。
【００４６】
また、第６電流測定部１２ｆは、カレントトランスＣＴ６により、蓄電システム３２のパワーコンディショナから屋内配線Ｌ２ａに向けて流れる電流Ｉ６、または、屋内配線Ｌ２ａから蓄電システム３２のパワーコンディショナに向けて流れる電流Ｉ６を、一定の変流比で変流し、これを負荷抵抗に流すことで、電流Ｉ６の値を示す電圧信号（電流検出信号）を生成する。第６電流測定部１２ｆは、生成した電圧信号を、電力測定部１３（第６電力測定部１３ｆ）に出力する。
【００４７】
また、第７電流測定部１２ｇは、カレントトランスＣＴ７により、屋内配線Ｌ１ａから家電機器３３に向けて流れる電流Ｉ７を一定の変流比で変流し、これを負荷抵抗に流すことで、電流Ｉ７の値を示す電圧信号（電流検出信号）を生成する。第７電流測定部１２ｇは、生成した電圧信号を、電力測定部１３（第７電力測定部１３ｇ）に出力する。
【００４８】
電力測定部１３は、電圧測定部１１で測定された各相の電圧Ｖａ，Ｖｂの値と、電流測定部１２で測定された各電流Ｉ１〜Ｉ７の値とから、電力量を測定し、演算制御部１４に出力する。
【００４９】
電力測定部１３は、図５に示すように、電力量Ｐ１を測定する第１電力測定部１３ａと、電力量Ｐ２を測定する第２電力測定部１３ｂと、電力量Ｐ３を測定する第３電力測定部１３ｃと、電力量Ｐ４を測定する第４電力測定部１３ｄと、電力量Ｐ５を測定する第５電力測定部１３ｅと、電力量Ｐ６を測定する第６電力測定部１３ｆと、電力量Ｐ７を測定する第７電力測定部１３ｇと、を備える。
【００５０】
より詳細には、第１電力測定部１３ａは、第１電圧測定部１１ａで測定された電圧Ｖａの値と、第１電流測定部１２ａで測定された電流Ｉ１の値とから、電力線Ｌ１と基準電力線Ｎとを通じて屋内配線Ｌ１ａに接続された機器に供給されている電力量Ｐ１、または電力線Ｌ１と基準電力線Ｎとを通じて外部の電線に接続された外部の負荷に供給されている電力量Ｐ１を測定する。
【００５１】
なお、第１電力測定部１３ａが求めた電力量Ｐ１の符号が正である場合、電力線Ｌ１から屋内配線Ｌ１ａに向けて電流が流れていることを示し、第１電力測定部１３ａが求めた電力量Ｐ１の符号が負である場合、屋内配線Ｌ１ａから電力線Ｌ１に向けて電流が流れていることを示している。
【００５２】
第２電力測定部１３ｂは、第２電圧測定部１１ｂで測定された電圧Ｖｂの値と、第２電流測定部１２ｂで測定された電流Ｉ２の値とから、電力線Ｌ２と基準電力線Ｎとを通じて屋内配線Ｌ２ａに接続された機器に供給されている電力量Ｐ２、または電力線Ｌ２と基準電力線Ｎとを通じて外部の電線に接続された外部の負荷に供給されている電力量Ｐ２を測定する。
【００５３】
なお、第２電力測定部１３ｂが求めた電力量Ｐ２の符号が正である場合、電力線Ｌ２から屋内配線Ｌ２ａに向けて電流が流れていることを示し、第２電力測定部１３ｂが求めた電力量Ｐ２の符号が負である場合、屋内配線Ｌ２ａから電力線Ｌ２に向けて電流が流れていることを示している。
【００５４】
第３電力測定部１３ｃは、第１電圧測定部１１ａで測定された電圧Ｖａの値と、第３電流測定部１２ｃで測定された電流Ｉ３の値とから、屋内配線Ｌ１ａと基準屋内配線Ｎａとを通じて太陽光発電システム３１から供給されている電力量Ｐ３を測定する。
【００５５】
なお、太陽光発電システム３１は、電力を消費することはない。よって、第３電力測定部１３ｃで求められた電力量Ｐ３の符号が正の場合（太陽光発電システム３１に電力が供給されていることを示す電力量が求められた場合）、電力測定装置１０は、カレントトランスＣＴの向きが誤っていることを示す情報を、例えばディスプレイ（出力部１６）に出力する。
【００５６】
第４電力測定部１３ｄは、第２電圧測定部１１ｂで測定された電圧Ｖｂの値と、第４電流測定部１２ｄで測定された電流Ｉ４の値とから、屋内配線Ｌ２ａと基準屋内配線Ｎａとを通じて太陽光発電システム３１から供給されている電力量Ｐ４を測定する。
【００５７】
なお、第４電力測定部１３ｄで求められた電力量Ｐ４の符号が正の場合（太陽光発電システム３１に電力が供給されていることを示す電力量が求められた場合）、電力測定装置１０は、カレントトランスＣＴの向きが誤っていることを示す情報を、例えばディスプレイ（出力部１６）に出力する。
【００５８】
第５電力測定部１３ｅは、第１電圧測定部１１ａで測定された電圧Ｖａの値と、第５電流測定部１２ｅで測定された電流Ｉ５の値とから、屋内配線Ｌ１ａと基準屋内配線Ｎａとを通じて蓄電システム３２に供給されている電力量Ｐ５、または屋内配線Ｌ１ａと基準屋内配線Ｎａとを通じて蓄電システム３２から供給されている電力量Ｐ５を測定する。
【００５９】
なお、第５電力測定部１３ｅが求めた電力量Ｐ５の符号が負である場合、蓄電システム３２から電力が供給されていることを示し、第５電力測定部１３ｅが求めた電力量Ｐ５の符号が正である場合、蓄電システム３２に電力が供給されていることを示している。
【００６０】
また、第６電力測定部１３ｆは、第２電圧測定部１１ｂで測定された電圧Ｖｂの値と、第６電流測定部１２ｆで測定された電流Ｉ６の値とから、屋内配線Ｌ２ａと基準屋内配線Ｎａとを通じて蓄電システム３２に供給されている電力量Ｐ６、または屋内配線Ｌ２ａと基準屋内配線Ｎａとを通じて蓄電システム３２から供給されている電力量Ｐ６を測定する。
【００６１】
なお、第６電力測定部１３ｆが求めた電力量Ｐ６の符号が負である場合、蓄電システム３２から電力が供給されていることを示し、第６電力測定部１３ｆが求めた電力量Ｐ６の符号が正である場合、蓄電システム３２に電力が供給されていることを示している。
【００６２】
第７電力測定部１３ｇは、第１電圧測定部１１ａで測定された電圧Ｖａの値と、第７電流測定部１２ｇで測定された電流Ｉ７の値とから、屋内配線Ｌ１ａと基準屋内配線Ｎａとを通じて家電機器３３に供給されている電力量Ｐ７を測定する。
【００６３】
なお、家電機器３３は、電力を供給することはない。よって、第７電力測定部１３ｇで求められた電力量Ｐ７の符号が負の場合（家電機器３３から電力が供給されていることを示す電力量が求められた場合）、電力測定装置１０は、カレントトランスＣＴの向きが誤っていることを示す情報を、例えばディスプレイ（出力部１６）に出力する。
【００６４】
第１電力測定部１３ａ〜第７電力測定部１３ｇは、それぞれ、図６に示すように、電圧検出信号をサンプリングするＡ／Ｄ変換器１３０と、Ａ／Ｄ変換器１３０の出力値を補正するゲイン補正部１３１と、ゲイン補正部１３１から出力された印加電圧の値から実効値を求める実効値演算部１３２と、を備える。
【００６５】
また、第１電力測定部１３ａ〜第７電力測定部１３ｇは、それぞれ、電流検出信号をサンプリングするＡ／Ｄ変換器１３３と、Ａ／Ｄ変換器１３３の出力値を補正するゲイン補正部１３４と、電圧検出信号と電流検出信号との位相差を補正する位相補正部１３５と、を備える。
【００６６】
また、第１電力測定部１３ａ〜第７電力測定部１３ｇは、それぞれ、ゲイン補正部１３１から出力された印加電圧の値と位相補正部１３５から出力される電流の値とを乗算する乗算部１３６と、乗算器１３６から出力される値から直近１秒間の電力Ｐを求める加算部１３７と、ゲイン補正部１３４から出力された電流の値から実効値を求める実効値演算部１３８と、実効値演算部１３２が求めた値、加算部１３７が求めた値および実効値演算部１３８が求めた値を記憶するレジスタ１３９と、を備える。
【００６７】
より詳細には、Ａ／Ｄ変換器１３０は、電圧測定部１１から供給される電圧検出信号をサンプリングしてデジタル信号に変換し、出力する。
【００６８】
ゲイン補正部１３１は、電圧測定部１１および電流測定部１２の回路定数のバラツキなどを補正して電力を正しく求めるため、Ａ／Ｄ変換器１３０の出力値を補正し、印加電圧の値を正しく示す値Ｅとする。
【００６９】
実効値演算部１３２は、ゲイン補正部１３１の出力（印加電圧の瞬時値）Ｅを自乗してＥ２を求め、求めたＥ２を、印加電圧の１周期Ｔの間累算して累算値ΣＥ２を求める。実効値演算部１３２は、累算値の平方根√（Σ（Ｅ２）を求め、さらに、一周期Ｔのサンプリング数Ｎで割って√（Σ（Ｅ）２）／Ｎを求めることにより、印加電圧の実効値Ｖeffを求める。実効値演算部１３２は、一定周期、例えば、１秒周期で、求めた実効値Ｖeffの平均値を求め、レジスタ１３９に記録する。
【００７０】
Ａ／Ｄ変換器１３３は、電流測定部１２から供給される電流検出信号をサンプリングしてデジタル信号に変換し、出力する。
【００７１】
ゲイン補正部１３４は、電圧測定部１１および電流測定部１２の回路定数のバラツキなどを補正して電力を正しく求めるため、Ａ／Ｄ変換器１３３の出力値を補正し、機器等に流れる電流の電流値を正しく示す値Ｉとする。
【００７２】
位相補正部１３５は、電圧検出信号と電流検出信号との取得過程の差により発生する位相差を、電圧検出信号を基準として補正する。例えば、位相補正部１３５は、カレントトランスＣＴに起因する電流検出信号の位相進み等を補正する。
【００７３】
乗算器１３６は、ゲイン補正部１３１から供給される電圧を示す値Ｅと位相補正部１３５から供給される位相補正済の値Ｉ（値Ｅと同一のタイミングで発生していた値Ｉ）とを乗算して、１サンプリング期間中の電力Ｅ・Ｉを求めて出力する。さらに、乗算器１２７は、求めたＥ・Ｉにサンプリング周期Δｔを乗算し、Ｅ・Ｉ・Δｔを求める。
【００７４】
加算部１３７は、乗算器１３６から出力される値Ｅ・Ｉ・Δｔを、１秒間累算することにより、直近１秒間の電力量Ｐを求め、これをレジスタ１３９に記録する。
【００７５】
実効値演算部１３８は、ゲイン補正部１３４の出力（電流の瞬時値Ｉ）を自乗してＩ２を求め、求めたＩ２を、印加電圧の１周期分累算して累算値ΣＩ２を求める。そして、実効値演算部１３８は、累算値の平方根√（ΣＩ２）を求め、一周期Ｔのサンプリング数Ｎで割って√（ΣＩ２）／Ｎを求めることにより、電流の実効値Ｉeffを求める。実効値演算部１３８は、一定周期、例えば、１秒周期で、求めた実効値Ｉeffの平均値を求め、レジスタ１３９に記録する。
【００７６】
レジスタ１３９は、実効値演算部１３２が求めた電圧実効値Ｖeff、加算部１３７が求めた電力量Ｐ、実効値演算部１３８が求めた電流実効値Ｉeffを一時的に記憶し、演算制御部１４の要求に応答して、記憶値を提供する。
【００７７】
図２に示す第１電力測定部１３ａは、図６に示した構成により、第１電圧測定部１１ａで計測された電圧Ｖａと第１電流測定部１２ａで計測された電流Ｉ１とから、電力線Ｌ１と基準電力線Ｎとを通じて屋内配線に接続された機器に供給されている電力量Ｐ１、または電力線Ｌ１と基準電力線Ｎとを通じて外部の電線に接続された外部の負荷に供給されている電力量Ｐ１を求め、レジスタ１３９に記憶させる。
【００７８】
また、第１電力測定部１３ａは、第１電圧測定部１１ａで計測された電圧Ｖａから、電圧Ｖａの実効値Ｖａeffを求め、第１電流測定部１２ａで計測された電流Ｉ１から、電流Ｉ１の実効値Ｉ１effを求めて、レジスタ１３９に記憶させる。
【００７９】
第２電力測定部１３ｂは、図６に示した構成により、第２電圧測定部１１ｂで計測された電圧Ｖｂと第２電流測定部１２ｂで計測された電流Ｉ２とから、電力線Ｌ２と基準電力線Ｎとを通じて屋内配線に接続された機器に供給されている電力量Ｐ２、または電力線Ｌ２と基準電力線Ｎとを通じて外部の電線に接続された外部の負荷に供給されている電力量Ｐ２を求め、レジスタ１３９に記憶させる。
【００８０】
また、第２電力測定部１３ｂは、第２電圧測定部１１ｂで計測された電圧Ｖｂから、電圧Ｖｂの実効値Ｖｂeffを求め、第２電流測定部１２ｂで計測された電流Ｉ２から、電流Ｉ２の実効値Ｉ２effを求めて、レジスタ１３９に記憶させる。
【００８１】
第３電力測定部１３ｃは、図６に示した構成により、第１電圧測定部１１ａで計測された電圧Ｖａと第３電流測定部１２ｃで計測された電流Ｉ３とから、屋内配線Ｌ１ａと基準屋内配線Ｎａとを通じて太陽光発電システム３１から供給されている電力量Ｐ３を求め、レジスタ１３９に記憶させる。
【００８２】
また、第３電力測定部１３ｃは、第１電圧測定部１１ａで計測された電圧Ｖａから、電圧Ｖａの実効値Ｖａeffを求め、第３電流測定部１２ｃで計測された電流Ｉ３から、電流Ｉ３の実効値Ｉ３effを求めて、レジスタ１３９に記憶させる。
【００８３】
第４電力測定部１３ｄは、図６に示した構成により、第２電圧測定部１１ｂで計測された電圧Ｖｂと第４電流測定部１２ｄで計測された電流Ｉ４とから、屋内配線Ｌ２ａと基準屋内配線Ｎａとを通じて太陽光発電システム３１から供給されている電力量Ｐ４を求め、レジスタ１３９に記憶させる。
【００８４】
また、第４電力測定部１３ｄは、第２電圧測定部１１ｂで計測された電圧Ｖｂから、電圧Ｖｂの実効値Ｖｂeffを求め、第４電流測定部１２ｄで計測された電流Ｉ４から、電流Ｉ４の実効値Ｉ４effを求めて、レジスタ１３９に記憶させる。
【００８５】
第５電力測定部１３ｅは、図６に示した構成により、第１電圧測定部１１ａで計測された電圧Ｖａと第５電流測定部１２ｅで計測された電流Ｉ５とから、屋内配線Ｌ１ａと基準屋内配線Ｎａとを通じて蓄電システム３２に供給されている電力量Ｐ５、または屋内配線Ｌ１ａと基準屋内配線Ｎａとを通じて蓄電システム３２から供給されている電力量Ｐ５を求め、レジスタ１３９に記憶させる。
【００８６】
また、第５電力測定部１３ｅは、第１電圧測定部１１ａで計測された電圧Ｖａから、電圧Ｖａの実効値Ｖａeffを求め、第５電流測定部１２ｅで計測された電流Ｉ５から、電流Ｉ５の実効値Ｉ５effを求めて、レジスタ１３９に記憶させる。
【００８７】
第６電力測定部１３ｆは、図６に示した構成により、第２電圧測定部１１ｂで計測された電圧Ｖｂと第６電流測定部１２ｆで計測された電流Ｉ６とから、屋内配線Ｌ２ａと基準屋内配線Ｎａとを通じて蓄電システム３２に供給されている電力量Ｐ６、または屋内配線Ｌ２ａと基準屋内配線Ｎａとを通じて蓄電システム３２から供給されている電力量Ｐ６を求め、レジスタ１３９に記憶させる。
【００８８】
また、第６電力測定部１３ｆは、第２電圧測定部１１ｂで計測された電圧Ｖｂから、電圧Ｖｂの実効値Ｖａeffを求め、第６電流測定部１２ｆで計測された電流Ｉ６から、電流Ｉ６の実効値Ｉ６effを求めて、レジスタ１３９に記憶させる。
【００８９】
第７電力測定部１３ｇは、図６に示した構成により、第１電圧測定部１１ａで計測された電圧Ｖａと第７電流測定部１２ｇで計測された電流Ｉ７とから、屋内配線Ｌ１ａと基準屋内配線Ｎａとを通じて家電機器３３に供給されている電力量Ｐ７を求め、レジスタ１３９に記憶させる。
【００９０】
また、第７電力測定部１３ｇは、第１電圧測定部１１ａで計測された電圧Ｖａから、電圧Ｖａの実効値Ｖａeffを求め、第７電流測定部１２ｇで計測された電流Ｉ７から、電流Ｉ７の実効値Ｉ７effを求めて、レジスタ１３９に記憶させる。
【００９１】
演算制御部１４は、第１電力測定部１３ａ〜第７電力測定部１３ｇで測定された電力量の符号が正しい符号であるかを判定し、正しい符号である場合には、測定された電力量をそのまま記録・出力し、測定された電力量の符号が正しい符号でない場合には、電力量を出力せず、端子Ｔ１〜Ｔ３の誤接続を示す情報またはカレントトランスＣＴ１〜ＣＴ７の誤配置を示す情報を、例えばディスプレイ（出力部１６）に出力する。
【００９２】
図７に示すように、演算制御部１４は、カレントトランスＣＴ１〜ＣＴ７が正しい向きで接続されているか否かを判定する判定部１４０と、符号情報を記憶する符号記憶部１４１と、符号情報を生成する符号特定部１４２と、を備える。
【００９３】
より詳細には、判定部１４０は、プロセッサ等から構成され、第１電力測定部１３ａ〜第７電力測定部１３ｇから、電力量Ｐ１〜Ｐ７を取得する。また、判定部１４０は、端子Ｔ１〜Ｔ３が正しく接続されて、カレントトランスＣＴ１〜ＣＴ７が正しく配置された場合において、取得した（測定した）電力量Ｐ１〜Ｐ７が正の符号を示すか、負の符号を示すか、正および負の量の符号を示すか、を表す符号情報を、符号記憶部１４１から取得する。そして、判定部１４０は、取得した（測定した）電力量Ｐ１〜Ｐ７の符号と、符号情報で表される電力量の符号とを比較し、カレントトランスＣＴ１〜ＣＴ７が正しい向きで接続されているか否かを判定する。また、判定部１４０は、電力線Ｌ１，Ｎ，Ｌ２を通じて外部の電線に接続された外部の負荷に供給されている電力量が、太陽光発電システム３１または蓄電システム３２の一方から供給されている電力量、または太陽光発電システム３１および蓄電システム３２の両方から供給されている電力量の合計値以下であるかを判定することで、カレントトランスＣＴ１〜ＣＴ７が正しい向きで接続されているか否かを判定する。なお、これらの判定の詳細は後述する。
【００９４】
判定部１４０は、判定結果に応じて、取得した電力量Ｐ１〜Ｐ７をそのまま記録・出力するか、或いは、取得した電力量Ｐ１〜Ｐ７を出力せずに、誤配置を示す情報を出力する。
【００９５】
符号記憶部１４１には、符号特定部１４２で生成された符号情報が記憶されている。
【００９６】
符号特定部１４２は、プロセッサ等から構成され、符号情報を生成するための、符号テーブルを記憶している。符号テーブルは、カレントトランスＣＴが正しく配置されている場合に電力測定部１３で測定される電力量が正の符号を示すか、負の符号を示すか、両方の符号を示すかと、カレントトランスＣＴの配置先の電力線を示す情報とを、対応付けたものである。この符号テーブルの符号特定部１４２への格納は、施工者又はユーザにより予め行われる。
【００９７】
例えば、符号テーブルは、図８に示すように、メインブレーカ３５に接続された電力線Ｌ１，Ｌ２を示す情報と、測定される電力量が正または負の両方の符号を示す情報とが対応付けられている。また、符号テーブルは、太陽光発電システム３１に接続された屋内配線Ｌ１ｂ，Ｌ２ｂを示す情報と、測定される電力量が負の符号を示す情報とが対応付けられている。
【００９８】
また、符号テーブルは、蓄電システム３２に接続された屋内配線Ｌ１ｃ，Ｌ２ｃを示す情報と、測定される電力量が正または負の両方の符号を示す情報とが対応付けられている。そして、符号テーブルは、家電機器３３に接続された屋内配線Ｌ１ｄを示す情報と、測定される電力量が正の符号を示す情報とが対応付けられている。
【００９９】
符号特定部１４２による符号テーブルの利用について説明する。例えばディップスイッチ（或いはキーボード）である入力部１５が施工者によって操作されて、どのカレントトランスＣＴをどの電力線（屋内配線）の外周に配置したかを示す配置情報が入力されると、符号特定部１４２は、入力された配置情報と符号テーブルとに基づいて、カレントトランスＣＴが正しく配置されている場合に電力測定部１３で測定される電力量が正の符号を示すか、負の符号を示すか、両方の符号を示すかを、電力量Ｐ１〜Ｐ７の名称毎に（カレントトランスＣＴの名称毎に）特定する。そして、符号特定部１４２は、特定した符号と電力量Ｐ１〜Ｐ７の名称とを対応付けて符号情報を生成し、生成した符号情報を、符号記憶部１４１に記憶する。
【０１００】
例えば、図９に示すように、カレントトランスＣＴ１については、メインブレーカ３５に接続された電力線Ｌ１の外周に配置され、カレントトランスＣＴ２については、メインブレーカ３５に接続された電力線Ｌ２の外周に配置されたことを示す配置情報が施工者によって入力されたとする。
【０１０１】
また、例えば、図９に示すように、カレントトランスＣＴ３については、太陽光発電システム３１に接続された屋内配線Ｌ１ｂの外周に配置され、カレントトランスＣＴ４については、太陽光発電システム３１に接続された屋内配線Ｌ２ｂの外周に配置されたことを示す配置情報が施工者によって入力されたとする。
【０１０２】
また、例えば、図９に示すように、カレントトランスＣＴ５については、蓄電システム３２に接続された屋内配線Ｌ１ｃの外周に配置され、カレントトランスＣＴ６については、蓄電システム３２に接続された屋内配線Ｌ２ｃの外周に配置されたことを示す配置情報が施工者によって入力されたとする。
【０１０３】
そして、例えば、図９に示すように、カレントトランスＣＴ７については、家電機器３３に接続された屋内配線Ｌ１ｄの外周に配置されたことを示す配置情報が施工者によって入力されたとする。
【０１０４】
すると、符号特定部１４２は、図９に示す配置情報と図８に示す符号テーブルとに基づいて、図１０に示すように、カレントトランスＣＴが正しく配置されている場合、電力量Ｐ１，Ｐ２が両方の符号を示すと特定し、電力量Ｐ３，Ｐ４が負の符号を示すと特定し、電力量Ｐ５，Ｐ６が両方の符号を示すと特定し、電力量Ｐ７が正の符号を示すと特定する。
【０１０５】
具体的には、符号特定部１４２は、例えば、電力量Ｐ１の符号（カレントトランスＣＴ１を通じて測定される電流の符号）を特定する場合、まず、図９に示す配置情報から、カレントトランスＣＴ１がメインブレーカ３５の電力線Ｌ１の外周に配置してあることを示す情報を抽出する。そして、符号特定部１４２は、カレントトランスＣＴ１の配置先である電力線Ｌ１と一致する配置先を含む「メインブレーカ３５の電力線Ｌ１，Ｌ２」を表す情報を、符号テーブルから検索する。そして、符号特定部１４２は、検索した配置先「メインブレーカ３５の電力線Ｌ１，Ｌ２」に対応付けられている電力量の符号「正または負」を符号テーブルから特定する。これにより、符号特定部１４２は、カレントトランスＣＴ１が正しく配置されている場合、測定された電力量Ｐ１が両方の符号を示すと特定する（カレントトランスＣＴ１を通じて測定される電流から求められる電力量が両方の符号を示すと特定する）。
【０１０６】
また、符号特定部１４２は、例えば、電力量Ｐ３の符号（カレントトランスＣＴ３を通じて測定される電流の符号）を特定する場合、まず、図９に示す配置情報から、カレントトランスＣＴ３が太陽光発電システム３１の電力線Ｌ１ｂの外周に配置してあることを示す情報を抽出する。そして、符号特定部１４２は、カレントトランスＣＴ３の配置先である電力線Ｌ１ｂと一致する配置先を含む「太陽光発電システム３１の電力線Ｌ１ｂ，Ｌ２ｂ」を表す情報を、符号テーブルから検索する。そして、符号特定部１４２は、検索した配置先「太陽光発電システム３１の電力線Ｌ１ｂ，Ｌ２ｂ」に対応付けられている電力量の符号「負」を符号テーブルから特定する。これにより、符号特定部１４２は、カレントトランスＣＴ３が正しく配置されている場合、測定された電力量Ｐ３が負の符号を示すと特定する（カレントトランスＣＴ３を通じて測定される電流から求められる電力量が負の符号を示すと特定する）。
【０１０７】
符号特定部１４２は、特定した符号を電力量の名称（カレントトランスＣＴの名称に対応）に対応付けて符号情報を生成し、その符号情報を、符号記憶部１４１に記憶する。
【０１０８】
また、符号記憶部１４１には、図１１および図１２を参照して後述する動作を実現するプログラムが格納されている。プログラムの格納は、施工者又はユーザにより予め行われる。また、符号記憶部１４１は、電力測定部１３が求めた、電力、実効値等の値（レジスタ１３９に記憶されている値）を記憶する。
【０１０９】
入力部１５は、例えば、ディップスイッチ、或いはキーボードである。このディップスイッチ、或いはキーボードを操作して、施工者は、どのカレントトランスＣＴをどの電力線（屋内配線）の外周に配置したかを示す配置情報を入力する。
【０１１０】
出力部１６は、例えば、ディスプレイである。判定部１４０は、取得した電力量Ｐ１〜Ｐ７の符号と、符号情報で表される電力量の符号とを比較し、それらの符号が一致していない場合、カレントトランスＣＴ１〜ＣＴ７の誤設置を示す情報を、出力部１６に表示させる。これにより、カレントトランスＣＴ１〜ＣＴ７の誤設置を、施工者またはユーザに報知する。また、演算制御部１４は、端子Ｔ１〜Ｔ３が正しく接続され、カレントトランスＣＴ１〜ＣＴ７が正しく配置されている場合（カレントトランスＣＴ１〜ＣＴ７の誤設置を示す情報を表示しない場合）、電力測定部１３で測定された電力量Ｐ１〜Ｐ７（レジスタ１３９に記憶されている電力量Ｐ１〜Ｐ７）を、出力部１６に表示させる。
【０１１１】
次に、上記構成を有する電力測定装置１０の動作を説明する。
【０１１２】
電力測定装置１０の施工者が、端子Ｔ１〜Ｔ３を屋内配線Ｌ１ａ，Ｎ，Ｌ２ａに接続し、カレントトランスＣＴ１〜ＣＴ７を電力線Ｌ１，Ｌ２の外周と配電線Ｌ１ｂ，Ｌ１ｃ，Ｌ１ｄ，Ｌ２ｂ，Ｌ２ｃの外周とに配置した後、符号情報（電力量の名称と電力量の符号とが対応付けられた情報）の生成を入力部１５の操作で指示すると、演算制御部１４は、図１１に示す符号情報生成処理を開始する。
【０１１３】
符号情報生成処理では、演算制御部１４（符号特定部１４２）は、配置情報（どのカレントトランスＣＴがどの機器に接続された電力線（或いは屋内配線）の外周に配置されているかを示す情報）の入力要求を、例えばディスプレイである出力部１６に表示する（ステップＳ１）。
【０１１４】
そして、演算制御部１４（符号特定部１４２）は、カレントトランスＣＴの配置先が全て入力されたか否かを判定する（ステップＳ２）。演算制御部１４（符号特定部１４２）は、例えば、カレントトランスＣＴの配置先の全ての入力が完了したことを示す操作を入力部１５で受け付けていない場合、カレントトランスＣＴの配置先が全て入力されていないと判定し（ステップＳ２；Ｎｏ）、ステップＳ１に戻る。
【０１１５】
一方、演算制御部１４（符号特定部１４２）は、例えば、カレントトランスＣＴの配置先の全ての入力が完了したことを示す操作を入力部１５で受け付けた場合、配置先が全て入力されたと判定する（ステップＳ２；Ｙｅｓ）。
【０１１６】
演算制御部１４（符号特定部１４２）は、ステップＳ２でＹｅｓと判定すると、入力された配置先の一つを選定する（ステップＳ３）。そして、演算制御部１４（符号特定部１４２）は、選定した配置先と一致する配置先を、符号記憶部１４１に予め記憶されている符号テーブル（カレントトランスＣＴが正しく配置されている場合に電力測定部１３で測定される電力量が正の符号を示すか、負の符号を示すか、両方の符号を示すかを示すテーブル）から検索する（ステップＳ３）。
【０１１７】
そして、演算制御部１４（符号特定部１４２）は、検索した配置先に対応付けられている電力量の符号を、符号テーブルから特定する（ステップＳ４）。
【０１１８】
例えば、図９に示す配置情報が施工者によって入力され、図８に示す符号テーブルが符号記憶部１４１に記憶されている場合、演算制御部１４（符号特定部１４２）は、ステップＳ３で、配置情報から、例えば、カレントトランスＣＴ１がメインブレーカ３５の電力線Ｌ１の外周に配置してあることを示す情報を抽出する。そして、演算制御部１４（符号特定部１４２）は、カレントトランスＣＴ１の配置先である電力線Ｌ１と一致する配置先を含む「メインブレーカ３５の電力線Ｌ１，Ｌ２」を表す情報を、符号テーブルから検索する。そして、演算制御部１４（符号特定部１４２）は、検索した配置先「メインブレーカ３５の電力線Ｌ１，Ｌ２」に対応付けられている電力量の符号「正または負」を符号テーブルから特定する。これにより、演算制御部１４（符号特定部１４２）は、カレントトランスＣＴ１が正しく配置されている場合、測定された電力量Ｐ１が両方の符号を示すと特定する（カレントトランスＣＴ１を通じて測定される電流から求められる電力量が両方の符号を示すと特定する）。
【０１１９】
また、例えば、図９に示す配置情報が施工者によって入力され、図８に示す符号テーブルが符号記憶部１４１に記憶されている場合、演算制御部１４（符号特定部１４２）は、ステップＳ３で、配置情報から、例えば、カレントトランスＣＴ７が家電機器３１の屋内配線Ｌ１ｄの外周に配置してあることを示す情報を抽出する。そして、演算制御部１４（符号特定部１４２）は、カレントトランスＣＴ１の配置先である電力線Ｌ１と一致する配置先を含む「家電機器３３の屋内配線Ｌ１ｄ」を表す情報を、符号テーブルから検索する。そして、演算制御部１４（符号特定部１４２）は、検索した配置先「家電機器３３の屋内配線Ｌ１ｄ」に対応付けられている電力量の符号「正」を符号テーブルから特定する。これにより、演算制御部１４（符号特定部１４２）は、カレントトランスＣＴ７が正しく配置されている場合、測定された電力量Ｐ７が正の符号を示すと特定する（カレントトランスＣＴ７を通じて測定される電流から求められる電力量が正の符号を示すと特定する）。
【０１２０】
ステップＳ４の実行後、演算制御部１４（符号特定部１４２）は、特定した電力量の符号を、電力量の名称（カレントトランスＣＴの名称に対応）に対応付けた符号情報を生成する（ステップＳ５）。
【０１２１】
例えば、演算制御部１４（符号特定部１４２）は、カレントトランスＣＴ１の配置先から電力量Ｐ１の符号を正または負と特定した場合、図１０に示すように、電力量の名称である「電力量Ｐ１」に、電力量の符号「正または負」を対応付けた符号情報を生成する。
【０１２２】
また、例えば、演算制御部１４（符号特定部１４２）は、カレントトランスＣＴ７の配置先から電力量Ｐ７の符号を正と特定した場合、図１０に示すように、電力量の名称である「電力量Ｐ７」に、電力量の符号「正」を対応付けた符号情報を生成する。
【０１２３】
ステップＳ５の実行後、演算制御部１４（符号特定部１４２）は、入力された全てのカレントトランスＣＴの配置先について、電力量の符号を特定したか否かを判定する（ステップＳ６）。演算制御部１４（符号特定部１４２）は、入力された全てのカレントトランスＣＴの配置先について、電力量の符号を特定していないと判定すると（ステップＳ６；Ｎｏ）、ステップＳ３に処理を戻す。
【０１２４】
一方、演算制御部１４（符号特定部１４２）は、入力された全てのカレントトランスＣＴの配置先について、電力量の符号を特定したと判定すると（ステップＳ６；Ｙｅｓ）、生成した符号情報を符号記憶部１４１に記憶して（ステップＳ７）、この符号情報生成処理を終了する。
【０１２５】
符号情報生成処理の終了後、第１電圧測定部１１ａは、電力線Ｌ１と基準電力線Ｎとの間の第１相の電圧Ｖａを降圧して電圧検出信号を生成し、生成した電圧検出信号を、第１電力測定部１３ａと、第３電力測定部１３ｃと、第５電力測定部１３ｅと、第７電力測定部１３ｇと、に出力する。また、第２電圧測定部１１ｂは、基準電力線Ｎと電力線Ｌ２の間の第２相の電圧Ｖｂを降圧して電圧検出信号を生成し、生成した電圧検出信号を、第２電力測定部１３ｂと、第４電力測定部１３ｄと、第６電力測定部１３ｆと、に出力する。
【０１２６】
また、第１電流測定部１２ａは、カレントトランスＣＴ１により、電力線Ｌ１からメインブレーカ３５に向けて流れる電流Ｉ１を測定し、電流値を示す電流検出信号を生成し、第１電力測定部１３ａに出力する。また、第２電流測定部１２ｂは、カレントトランスＣＴ２により、電力線Ｌ２からメインブレーカ３５に向けて流れる電流Ｉ２を測定し、電流値を示す電流検出信号を生成し、第２電力測定部１３ｂに出力する。
【０１２７】
また、第３電流測定部１２ｃは、カレントトランスＣＴ３により、太陽光発電システム３１から屋内配線Ｌ１ａに向けて流れる電流Ｉ３を測定し、電流値を示す電流検出信号を生成し、第１電力測定部１３ａに出力する。また、第４電流測定部１２ｄは、カレントトランスＣＴ４により、太陽光発電システム３１から屋内配線Ｌ２ａに向けて流れる電流Ｉ４を測定し、電流値を示す電流検出信号を生成し、第２電力測定部１３ｂに出力する。
【０１２８】
また、第５電流測定部１２ｅは、カレントトランスＣＴ５により、蓄電システム３２から屋内配線Ｌ１ａに向けて流れる電流Ｉ５を測定し、電流値を示す電流検出信号を生成し、第１電力測定部１３ａに出力する。また、第６電流測定部１２ｆは、カレントトランスＣＴ６により、蓄電システム３２から屋内配線Ｌ２ａに向けて流れる電流Ｉ６を測定し、電流値を示す電流検出信号を生成し、第２電力測定部１３ｂに出力する。
【０１２９】
また、第７電流測定部１２ｇは、カレントトランスＣＴ７により、屋内配線Ｌ１ａから家電機器３３に向けて流れる電流Ｉ７を測定し、電流値を示す電流検出信号を生成し、第１電力測定部１３ａに出力する。
【０１３０】
第１電力測定部１３ａは、第１電圧測定部１１ａで測定された電圧Ｖａの電圧値を示す電圧検出信号と第１電流測定部１２ａで測定された電流Ｉ１の電流値を示す電流検出信号とを、サンプリングする。第１電力測定部１３ａは、１サンプリング期間Δｔあたりの電力量Ｖａ・Ｉ１・Δｔを求め、これを累算し、１秒周期で累算値（電力量）Ｐ１を求める。また、第１電力測定部１３ａは、電圧Ｖａの実効値Ｖａeffと電流Ｉ１の実効値Ｉ１effとを求める。そして、第１電力測定部１３ａは、それらの値を、レジスタ１３９に記憶する。
【０１３１】
第２電力測定部１３ｂは、第２電圧測定部１１ｂで測定された電圧Ｖｂの電圧値を示す電圧検出信号と第２電流測定部１２ｂで測定された電流Ｉ２の電流値を示す電流検出信号とを、サンプリングする。第２電力測定部１３ｂは、１サンプリング期間Δｔあたりの電力量Ｖｂ・Ｉ２・Δｔを求め、これを累算し、１秒周期で累算値（電力量）Ｐ２を求める。また、第２電力測定部１３ｂは、電圧Ｖｂの実効値Ｖｂeffと電流Ｉ２の実効値Ｉ２effとを求める。そして、第２電力測定部１３ｂは、それらの値を、レジスタ１３９に記憶する。
【０１３２】
同様にして、第３電力測定部１３ｃは、電力量Ｐ３と、電圧Ｖａの実効値Ｖａeffと、電流Ｉ３の実効値Ｉ３effとを求め、それらの値を、レジスタ１３９に記憶する。また、第４電力測定部１３ｄは、電力量Ｐ４と、電圧Ｖｂの実効値Ｖｂeffと、電流Ｉ４の実効値Ｉ４effとを求め、それらの値を、レジスタ１３９に記憶する。
【０１３３】
また、第５電力測定部１３ｅは、電力量Ｐ５と、電圧Ｖａの実効値Ｖａeffと、電流Ｉ５の実効値Ｉ５effとを求め、それらの値を、レジスタ１３９に記憶する。また、第６電力測定部１３ｆは、電力量Ｐ６と、電圧Ｖｂの実効値Ｖｂeffと、電流Ｉ６の実効値Ｉ６effとを求め、それらの値を、レジスタ１３９に記憶する。
【０１３４】
また、第７電力測定部１３ｇは、電力量Ｐ７と、電圧Ｖａの実効値Ｖａeffと、電流Ｉ７の実効値Ｉ７effとを求め、それらの値を、レジスタ１３９に記憶する。
【０１３５】
その後、電力測定装置１０の施工者が、端子Ｔ１〜Ｔ３の接続の判定およびカレントトランスＣＴ１〜ＣＴ７の配置の判定を入力部１５の操作で指示すると、演算制御部１４は、図１２に示す判定処理を開始する。
【０１３６】
判定処理では、演算制御部１４（判定部１４０）は、電力測定部１３のレジスタ１３９から、電圧の実効値Ｖａeff，Ｖｂeffと、電流の実効値Ｉ１eff〜Ｉ８effと、電力量Ｐ１〜Ｐ７と、を取得する（ステップＳ１１）。
【０１３７】
そして、演算制御部１４（判定部１４０）は、取得した電圧の実効値Ｖａeff，Ｖｂeffが予め定められた範囲内（例えば、基準の電圧値に対して±３％内）であるか否か判定される（ステップＳ１２）。
【０１３８】
端子Ｔ１が屋内配線Ｌ１ａに接続され、端子Ｔ２が基準屋内配線Ｎａに接続され、端子Ｔ３が屋内配線Ｌ２ａに接続されていれば、端子Ｔ１，Ｔ２間の電圧がＶａであり、端子Ｔ２，Ｔ３間の電圧がＶｂであるので、電圧の実効値Ｖａeff，Ｖｂeffが予め定められた範囲内になる。よって、演算制御部１４（判定部１４０）は、ステップＳ１２でＹｅｓと判定する。すると、演算制御部１４（判定部１４０）は、カレントトランスＣＴ１〜ＣＴ７が正しい向きで配置されているかを判定するステップＳ１３以降に、処理を移行する。
【０１３９】
一方、例えば、端子Ｔ１が屋内配線Ｌ１ａに接続され、端子Ｔ３が基準屋内配線Ｎａに接続され、端子Ｔ２が屋内配線Ｌ２ａに接続されていれば、端子Ｔ１，Ｔ２間の電圧がＶａ＋Ｖｂであるので、電圧の実効値Ｖａeffが予め定められた範囲外になる。よって、演算制御部１４（判定部１４０）は、ステップＳ１２でＮｏと判定する。すると、演算制御部１４（判定部１４０）は、端子Ｔ１〜Ｔ３の誤接続が行われていることを示す画面を、例えばディスプレイである出力部１６に表示する（ステップＳ１３）。この画面による報知で、施工者またはユーザは、端子Ｔ１〜Ｔ３の誤接続があることを認識することができる。
【０１４０】
ステップＳ１２でＹｅｓと判定した場合、演算制御部１４（判定部１４０）は、符号記憶部１４１に記憶された符号情報で示される電力量の符号のうち、電力量の符号が単一（正または負の何れか一方）のものを、符号情報から特定する（ステップＳ１４）。
【０１４１】
例えば、図１０に示す符号情報が符号記憶部１４１に記憶されている場合、演算制御部１４（判定部１４０）は、ステップＳ１４で、電力量の符号が単一のものである電力量Ｐ３，Ｐ４，Ｐ７を特定する。
【０１４２】
そして、演算制御部１４（判定部１４０）は、ステップＳ１４で特定した電力量の符号と、ステップＳ１１で取得した電力量の符号とが、全て一致しているか否かを判定する（ステップＳ１５）。
【０１４３】
例えば、ステップＳ１４で、演算制御部１４（判定部１４０）は、電力量Ｐ３，Ｐ４，Ｐ７を、電力量の符号が単一のものであると符号情報から特定した場合、ステップＳ１５では、符号情報で示される電力量Ｐ３，Ｐ４，Ｐ７の各符号と、ステップＳ１１で取得した電力量のうちの電力量Ｐ３，Ｐ４，Ｐ７の各符号とが、一致しているか否かを判定する。
【０１４４】
演算制御部１４（判定部１４０）は、特定した電力量の符号と、ステップＳ１１で取得した電力量の符号とが、１つでも一致していないと判定すると（ステップＳ１５；Ｎｏ）、カレントトランスＣＴの誤配置が行われていることを示す画面を、例えばディスプレイである出力部１６に表示する（ステップＳ２３）。この画面による報知で、施工者またはユーザは、カレントトランスＣＴの誤配置があることを認識することができる。
【０１４５】
演算制御部１４（判定部１４０）は、特定した電力量の符号と、ステップＳ１１で取得した電力量の符号とが、全て一致していると判定すると（ステップＳ１５；Ｙｅｓ）、正および負の両方の符号を示す電力量を測定するためのカレントトランスＣＴの配置を判定する、ステップＳ１６以降に、処理を移行する。
【０１４６】
ステップＳ１６では、演算制御部１４（判定部１４０）は、施工者によって入力されたカレントトランスＣＴの配置情報から、メインブレーカ３５を通じて供給された電力量が、ステップＳ１１で取得した電力量Ｐ１〜Ｐ７のうちのどの電力量に該当するかを特定する（ステップＳ１６）。
【０１４７】
例えば、図９に示すように、カレントトランスＣＴ１がメインブレーカ３５の電力線Ｌ１の外周に配置され、カレントトランスＣＴ２がメインブレーカ３５の電力線Ｌ２の外周に配置されていることを示す配置情報が施工者によって入力された場合、演算制御部１４（判定部１４０）は、ステップＳ１６で、電力量Ｐ１，Ｐ２が、メインブレーカ３５を通じて供給された電力量であると特定する。
【０１４８】
その後、演算制御部１４（判定部１４０）は、メインブレーカ３５を通じて供給された電力量（ステップＳ１１で取得した電力量、即ち測定値）の符号は、負を示しているか否かを判定する（ステップＳ１７）。
【０１４９】
例えば、演算制御部１４（判定部１４０）は、ステップＳ１６で、電力量Ｐ１，Ｐ２が、メインブレーカ３５を通じて供給された電力量であると特定すると、電力量Ｐ１，Ｐ２の符号（ステップＳ１１で取得した電力量の符号）が負を示しているか否かを判定する。この処理により、電力線Ｌ１，Ｎ，Ｌ２を通じて、外部の電線に接続された外部の負荷に電力が供給されている状態か、を判定する。ステップＳ１６を実行する演算制御部１４（判定部１４０）が、特許請求の範囲に記載の電流判定部に対応する。
【０１５０】
演算制御部１４（判定部１４０）は、メインブレーカ３５を通じて供給される電力量の符号（ステップＳ１１で取得した電力量の符号）は、負を示していると判定すると（ステップＳ１７；Ｙｅｓ）、符号記憶部１４１に記憶された符号情報から、メインブレーカ３５を通じて供給された電力量を除いたものを、ステップＳ１１で取得した電力量から特定する（ステップＳ１８）。
【０１５１】
例えば、演算制御部１４（判定部１４０）は、ステップＳ１６で、電力量Ｐ１，Ｐ２が、メインブレーカ３５を通じて供給される電力量を表す電力量であると特定し、且つ、図１０に示す符号情報が符号記憶部１４１に記憶されている場合、ステップＳ１８では、電力量Ｐ３，Ｐ４，Ｐ５，Ｐ６，Ｐ７が、メインブレーカ３５を通じて供給される電力量を除いた電力量に該当すると特定する。
【０１５２】
その後、演算制御部１４（判定部１４０）は、ステップＳ１８で特定した電力量のうち、負の符号を示す電力量を、ステップＳ１１で取得した電力量から特定する（ステップＳ１９）。
【０１５３】
例えば、演算制御部１４（判定部１４０）は、ステップＳ１８で、電力量Ｐ３，Ｐ４，Ｐ５，Ｐ６，Ｐ７を特定した場合、ステップＳ１１で取得した電力量Ｐ３，Ｐ４，Ｐ５，Ｐ６，Ｐ７のうち、負の符号を示す電力量を特定する。この特定により、太陽光発電システム３１と蓄電システム３２とのうち、機器から電力を供給しているものがどれであるかを特定できる（機器から電流が出力されている状態の電力線がどれであるかを特定できる）。ステップＳ１８を実行する演算制御部１４（判定部１４０）が、特許請求の範囲に記載の特定部に対応する。
【０１５４】
その後、演算制御部１４（判定部１４０）は、ステップＳ１９で特定した負の符号を示す電力量を、相毎に、合計する（ステップＳ２０）。
【０１５５】
例えば、ステップＳ１９で、電力量Ｐ３，Ｐ４，Ｐ５，Ｐ６を、演算制御部１４（判定部１４０）が特定したとすると、電力量Ｐ３と電力量Ｐ５とは、第１相の電圧Ｖａによる電力量であり、電力量Ｐ４と電力量Ｐ６とは、第２相の電圧Ｖｂによる電力量である。よって、演算制御部１４（判定部１４０）は、ステップＳ２０で、ステップＳ１１で取得した電力量Ｐ３とステップＳ１１で取得した電力量Ｐ５との合計値、およびステップＳ１１で取得した電力量Ｐ４とステップＳ１１で取得した電力量Ｐ６との合計値を求める。
【０１５６】
その後、演算制御部１４（判定部１４０）は、全ての相で、メインブレーカ３５を通じて供給された電力量（ステップＳ１１で取得した電力量から特定）≦合計値（ステップＳ１１で取得した電力量から特定）を満たすか否かを判定する（ステップＳ２１）。ステップＳ２１を実行する演算制御部１４（判定部１４０）が、特許請求の範囲に記載の合計値判定部に対応する。
【０１５７】
例えば、演算制御部１４（判定部１４０）は、ステップＳ１６で、電力量Ｐ１，Ｐ２が、メインブレーカ３５を通じて供給された電力量であると特定し、ステップＳ２０で、電力量Ｐ３と電力量Ｐ５との合計値、および電力量Ｐ４と電力量Ｐ６との合計値を求めている場合、第１相の電圧Ｖａに対応する電力量Ｐ１≦電力量Ｐ３と電力量Ｐ５との合計値の関係を満たし、第２相の電圧Ｖｂに対応する電力量Ｐ２≦電力量Ｐ４と電力量Ｐ６との合計値の関係を満たすかを判定する。この処理により、太陽光発電システム３１と蓄電システム３２とから供給された電力は少なくとも家電機器３３で消費されることから、電力線Ｌ１，Ｎ，Ｌ２を通じて外部の負荷に供給された電力量は、太陽光発電システム３１と蓄電システム３２とから供給された電力量以下になる、という原則が成立しているか、が判定できる。
【０１５８】
演算制御部１４（判定部１４０）は、全ての相で、メインブレーカ３５を通じて供給された電力量（ステップＳ１１で取得した電力量から特定）≦合計値（ステップＳ１１で取得した電力量から特定）を満たすと判定すると（ステップＳ２１；Ｙｅｓ）、上述した原則が成立しているので、カレントトランスＣＴが全て正しく配置されていると判定する。
【０１５９】
一方、演算制御部１４（判定部１４０）は、少なくとも１つの相で、メインブレーカ３５を通じて供給された電力量（ステップＳ１１で取得した電力量から特定）≦合計値（ステップＳ１１で取得した電力量から特定）を満たさないと判定すると（ステップＳ２１；Ｎｏ）、カレントトランスＣＴの誤配置が行われていることを示す画面を、例えばディスプレイである出力部１６に表示する（ステップＳ２３）。ステップＳ２１；ＮｏとステップＳ２３とを実行する演算制御部１４（判定部１４０）が、特許請求の範囲に記載の誤配置判定部に対応する。
【０１６０】
例えば、カレントトランスＣＴ１，ＣＴ２，ＣＴ３，ＣＴ４が正しい向きで配置されているが、カレントトランスＣＴ５，ＣＴ６が逆向きに配置された場合、蓄電システム３２から電力が供給されている状態であるとき、電力量Ｐ５，Ｐ６の符号が正を示す。よって、演算制御部１４（判定部１４０）は、ステップＳ１９で、電力量Ｐ３，Ｐ４を特定する（電力量Ｐ５，Ｐ６を特定しない）。
【０１６１】
このとき、太陽光発電システム３１から供給される電力量Ｐ３およびＰ４が２ｋｗであり、蓄電システム３２から供給されている電力量Ｐ５およびＰ６が１ｋｗであり、家電機器３３で消費される電力量Ｐ７が０．５ｋｗであるとすると、外部の電線から外部の負荷に供給されている電力量Ｐ１およびＰ２は、２．５ｋｗである。
【０１６２】
しかし、カレントトランスＣＴ５，ＣＴ６が逆向きに配置されているので、演算制御部１４（判定部１４０）は、ステップＳ２０で、第１相の電圧Ｖａに対応する電力量Ｐ３を合計値として求め、第２相の電圧Ｖｂに対応する電力量Ｐ４を、合計値として求める。
【０１６３】
よって、演算制御部１４（判定部１４０）は、ステップＳ２１で、電力量Ｐ１＞電力量Ｐ３および電力量Ｐ２＞電力量Ｐ４であると判定する（ステップＳ２１；Ｎｏ）。その後、演算制御部１４（判定部１４０）は、カレントトランスＣＴの誤配置が行われていることを示す画面を、例えばディスプレイである出力部１６に表示する（ステップＳ２３）。この画面を視認することで、施工者またはユーザは、カレントトランスＣＴの誤配置があることを認識することができる。
【０１６４】
また、例えば、カレントトランスＣＴ３，ＣＴ４，ＣＴ５，ＣＴ６が正しい向きで配置されているが、カレントトランスＣＴ１，ＣＴ２が逆向きに配置された場合、外部の電線から屋内配線を通じて電力が機器に供給されている状態であるとき、電力量Ｐ１，Ｐ２の符号が負を示す。
【０１６５】
このとき、太陽光発電システム３１から供給される電力量Ｐ３およびＰ４が１ｋｗであり、蓄電システム３２から供給されている電力量Ｐ５およびＰ６が０．５ｋｗであり、家電機器３３で消費される電力量Ｐ７が４ｋｗであるとすると、屋内配線を通じて機器に供給されている電力量Ｐ１およびＰ２は、２．５ｋｗになる。
【０１６６】
このとき、演算制御部１４（判定部１４０）は、カレントトランスＣＴ３，ＣＴ４，ＣＴ５，ＣＴ６が正しい向きで配置されているので、電力量Ｐ３＋電力量Ｐ５を合計値として求め、電力量Ｐ４＋電力量Ｐ６を合計値として求める。そして、演算制御部１４（判定部１４０）は、屋内配線を通じて電力が機器に供給されている状態のときの電力量Ｐ１，Ｐ２を、合計値と比較する。
【０１６７】
よって、演算制御部１４（判定部１４０）は、ステップＳ２１で、電力量Ｐ１＞電力量Ｐ３＋電力量Ｐ５および電力量Ｐ２＞電力量Ｐ４＋電力量Ｐ６あると判定する（ステップＳ２１；Ｎｏ）。その後、演算制御部１４（判定部１４０）は、カレントトランスＣＴの誤配置が行われていることを示す画面を、例えばディスプレイである出力部１６に表示する（ステップＳ２３）。この画面を視認することで、施工者またはユーザは、カレントトランスＣＴの誤配置があることを認識することができる。
【０１６８】
また、例えば、カレントトランスＣＴ３，ＣＴ４が正しい向きで配置されているが、カレントトランスＣＴ１，ＣＴ２が逆向きに配置され、更に、カレントトランスＣＴ５，ＣＴ６が逆向きに配置された場合、屋内配線を通じて機器に電力が供給されている状態であるとき電力量Ｐ１，Ｐ２の符号が負を示し、蓄電システム３２から電力が供給されている状態であるとき電力量Ｐ５，Ｐ６の符号が正を示す。
【０１６９】
このとき、太陽光発電システム３１から供給される電力量Ｐ３およびＰ４が１ｋｗであり、蓄電システム３２から供給されている電力量Ｐ５およびＰ６が０．５ｋｗであり、家電機器３３で消費される電力量Ｐ７が４ｋｗであるとすると、屋内配線を通じて機器に供給されている電力量Ｐ１およびＰ２は、２．５ｋｗになる。
【０１７０】
このとき、演算制御部１４（判定部１４０）は、カレントトランスＣＴ５，ＣＴ６が逆向きに配置されているので、演算制御部１４（判定部１４０）は、ステップＳ２０で、第１相の電圧Ｖａに対応する電力量Ｐ３を合計値として求め、第２相の電圧Ｖｂに対応する電力量Ｐ４を、合計値として求める。
【０１７１】
また、演算制御部１４（判定部１４０）は、屋内配線を通じて電力が機器に供給されている状態のときの電力量Ｐ１，Ｐ２を、合計値と比較する。
【０１７２】
よって、演算制御部１４（判定部１４０）は、ステップＳ２１で、電力量Ｐ１＞電力量Ｐ３および電力量Ｐ２＞電力量Ｐ４であると判定する（ステップＳ２１；Ｎｏ）。その後、演算制御部１４（判定部１４０）は、カレントトランスＣＴの誤配置が行われていることを示す画面を、例えばディスプレイである出力部１６に表示する（ステップＳ２３）。この画面を視認することで、施工者またはユーザは、カレントトランスＣＴの誤配置があることを認識することができる。
【０１７３】
なお、演算制御部１４（判定部１４０）は、ステップＳ１７で、ステップＳ１１で取得したメインブレーカ３５を通じて供給された電力量の符号が正を示していると判定すると（ステップＳ１７；Ｎｏ）、正および負の両方の符号を示す電力量を測定するためのカレントトランスＣＴの配置の判定ができないので、この判定処理を終了する。
【０１７４】
上述した通り、本実施の形態に係る電力測定装置１０は、符号記憶部１４１に記憶された符号情報で示される電力量の符号のうち、電力量の符号が単一（正または負の何れか一方）のものを符号情報から特定し、特定した電力量の符号と、ステップＳ１１で取得した電力量の符号とが、全て一致しているか否かを判定する。この結果により、カレントトランスＣＴが正しい向きで配置されているかを判定する。よって、電力が供給される機器に加えて、電力を供給する機器（逆潮流を発生させる機器）が電力線に接続されていても、カレントトランスＣＴの誤配置を判定可能である。また、本実施の形態に係る電力測定装置１０は、電力が供給される機器に加えて、電力を供給する機器（逆潮流を発生させる機器）が電力線に接続されていても、電力量を測定可能である。
【０１７５】
また、本実施の形態に係る電力測定装置１０は、メインブレーカ３５を通じて供給された電力量と、メインブレーカ３５を通じて供給される電力量を除いた電力量と、を特定する。そして、電力測定装置１０は、メインブレーカ３５を通じて供給された電力量を除いた電力量の合計値を求める。その後、電力測定装置１０は、メインブレーカ３５を通じて供給された電力量が、合計値以下であるか否かを判定する。この結果により、カレントトランスＣＴが正しい向きで配置されているかを判定する。よって、電力が供給される機器、電力を供給する機器に加えて、電力が供給され、且つ、電力を供給する機器（逆潮流を発生させる機器）が電力線に接続されていても、カレントトランスＣＴの誤配置を判定可能である。また、本実施の形態に係る電力測定装置１０は、電力が供給される機器、電力を供給する機器に加えて、電力が供給され、且つ、電力を供給する機器（逆潮流を発生させる機器）が電力線に接続されていても、電力量を測定可能である。
【０１７６】
また、本実施の形態に係る電力測定装置１０は、カレントトランスＣＴの配置先（配置情報）が施工者によって入力されると、入力された配置情報に基づいて、カレントトランスＣＴが正しく配置されている場合に電力測定部１３で測定される電力量が、正の符号を示すか、負の符号を示すか、両方の符号を示すかを、特定し、符号記憶部１４１に記憶する。よって、電力線に接続された機器が、電力が供給される機器であるのか、電力を供給する機器であるのか、電力が供給され、且つ、電力を供給する機器であるのかといった専門知識を必要とする入力を、施工者が行う必要がない。よって、機器についての専門知識を施工者が持たない場合でも、施工者は、電力測定装置１０を用いて、カレントトランスＣＴの誤配置を認識可能である。
【０１７７】
以上、本発明の実施の形態を説明したが、この発明は上記の実施の形態に限定されず、種々の変形および応用が可能である。
【０１７８】
上述した電力測定装置１０は、電力を供給する機器、即ち、太陽光発電システム３１に接続された電力線Ｌ１ｂ，Ｌ２ｂと蓄電システム３２に接続された電力線Ｌ１ｃ，Ｌ２ｃとの外周にカレントトランスＣＴを配置したが、これに限られるものではない。
【０１７９】
上述した原則（電力を供給する機器から供給された電力は少なくとも家電機器３３で消費されるので、電力線Ｌ１，Ｎ，Ｌ２を通じて外部の負荷に供給された電力量は、電力を供給する機器から供給された電力量以下になる、という原則）が、カレントトランスＣＴを正しい向きで配置した場合に成立する範囲で、カレントトランスＣＴを機器に接続された一部の電力線に配置してもよい。例えば、蓄電システム３２に接続された電力線Ｌ１ｃ，Ｌ２ｃの外周にカレントトランスＣＴを配置せず、太陽光発電システム３１に接続された電力線Ｌ１ｂ，Ｌ２ｂの外周にカレントトランスＣＴを配置してもよい。逆に、太陽光発電システム３１に接続された電力線Ｌ１ｂ，Ｌ２ｂの外周にカレントトランスＣＴを配置せず、蓄電システム３２に接続された電力線Ｌ１ｃ，Ｌ２ｃの外周にカレントトランスＣＴを配置してもよい。
【０１８０】
ただし、電力を供給する機器に接続された全ての電力線の外周に、カレントトランスＣＴを配置するのが望ましい。
【０１８１】
また、上述した電力測定装置１０は、カレントトランスＣＴの配置先（配置情報）が施工者によって入力されると、入力された配置情報に基づいて、カレントトランスＣＴが正しく配置されている場合に電力測定部１３で測定される電力量が、正の符号を示すか、負の符号を示すか、両方の符号を示すかを、特定したが、これに限られるものではない。例えば、施工者が専門的な知識を有している場合には、施工者に、カレントトランスＣＴが正しく配置されている場合に電力測定部１３で測定される電力量が、正の符号を示すか、負の符号を示すか、両方の符号を示すかを、直接、入力できるよう、電力測定装置１０を構成してもよい。
【０１８２】
また、上述した電力測定装置１０の出力部１６は、例えばディスプレイであったが、これに限られるものではない。出力部１６は、例えば外部のパーソナルコンピュータとの通信を実現するインターフェイスであってもよい。出力部１６が例えばインターフェイスである場合、演算制御部１４（判定部１４０）は、端子Ｔ１〜Ｔ３の誤接続が行われていることを示す画面の情報、或いは、カレントトランスＣＴの誤配置が行われていることを示す画面の情報を、出力部１６を介して、外部のパーソナルコンピュータに出力する。これにより、施工者またはユーザは、外部のパーソナルコンピュータに備えられたディスプレイで、端子Ｔ１〜Ｔ３の誤接続が行われていることを示す画面、或いは、カレントトランスＣＴの誤配置が行われていることを示す画面を視認することができる。
【０１８３】
また、上述した電力測定装置１０では、電流検出用素子としてカレントトランスＣＴを用いたが、これに限られるものではない。電流検出用素子として、例えば、ホール素子を用いてもよい。
【０１８４】
なお、上記の実施の形態において、演算制御部１４で実行されるプログラムは、フレキシブルディスク、ＣＤ−ＲＯＭ（Compact Disc Read−Only Memory）、ＤＶＤ（Digital Versatile Disc）、ＭＯ（Magneto−Optical Disc）等のコンピュータが読み取り可能な記録媒体に格納して配布し、そのプログラムを、コンピュータ等にインストールすることにより、図１１，１２に示す処理を実行する装置を構成することとしてもよい。
【０１８５】
また、上述のプログラムをインターネット等の通信ネットワーク上の任意のサーバ装置が有するディスク装置等に格納しておき、例えば、搬送波に重畳させて、ダウンロード等してもよい。
【０１８６】
また、上述の図１１，１２に示す処理を、各ＯＳ（Operating System）が分担して実現する場合、または、ＯＳとアプリケーションとの協働により実現する場合等には、ＯＳ以外の部分のみを媒体に格納して配布してもよく、また、ダウンロード等してもよい。
【０１８７】
本発明は、本発明の広義の精神と範囲を逸脱することなく、様々な実施の形態および変形が可能とされるものである。また、上述した実施の形態は、本発明を説明するためのものであり、本発明の範囲を限定するものではない。すなわち、本発明の範囲は、上述した実施の形態ではなく、請求の範囲によって示される。そして、請求の範囲内およびそれと同等の発明の意義の範囲内で施される様々な変形が、本発明の範囲内とみなされる。
【符号の説明】
【０１８８】
１０  電力測定装置、１１  電圧測定部、１２  電流測定部、１３  電力測定部、１４  演算制御部、１５  入力部、１６  出力部、３１  太陽光発電システム、３２  蓄電システム、３３  家電機器、３５  メインブレーカ、３６ａ，３６ｂ，３６ｃ，３６ｄ  分岐ブレーカ。
【図１】
2015001403.tif 000003
【図２】
2015001403.tif 000004
【図３】
2015001403.tif 000005
【図４】
2015001403.tif 000006
【図５】
2015001403.tif 000007
【図６】
2015001403.tif 000008
【図７】
2015001403.tif 000009
【図８】
2015001403.tif 000010
【図９】
2015001403.tif 000011
【図１０】
2015001403.tif 000012
【図１１】
2015001403.tif 000013
【図１２】
2015001403.tif 000014
【手続補正書】
【提出日】平成26年9月29日(2014.9.29)
【手続補正１】
【補正対象書類名】明細書
【補正対象項目名】００１０
【補正方法】変更
【補正の内容】
【００１０】
上記目的を達成するために、本発明に係る電力測定装置の電圧測定部は、複数相の電力を送電する複数の電力線に接続され、各相の電圧を測定する。電流測定部は、電力線の外周に配置された電流検出用素子を通じて、電力線に接続された機器に入力される電流、または前記機器から出力される電流を測定する。電力測定部は、電流測定部で測定された電流と電圧測定部で測定された電圧とから、機器に供給された電力量、または機器から供給された電力量を、電流検出用素子毎に測定する。符号記憶部は、電流検出用素子が電力線に正しい向きで配置された場合に電力測定部で測定される電力量の符号が、正を示すか、負を示すかを、電流検出用素子毎に記憶する。判定部は、符号記憶部に記憶された符号と電力測定部で測定された電力量の符号とが異なっていれば、電流検出用素子が電力線に誤った向きで配置されていると判定する。電力線記憶部は、電力線に電流検出用素子が正しい向きで配置された場合に電力測定部で測定される電力量の符号が、正を示すか、負を示すか、正と負との両方を示すかを、電力線を示す情報毎に記憶する。受付部は、電流検出用素子をどの電力線に配置したかを示す配置情報を、ユーザから受け付ける。記憶制御部は、電力線に電流検出用素子が正しい向きで配置された場合に電力測定部で測定される電力量の符号が、正を示すか、負を示すか、正と負との両方を示すかを、受付部で受け付けられた配置情報と電力線記憶部に記憶された符号とに基づいて、電流検出用素子毎に特定し、特定した結果を、符号記憶部に記憶させる。
【手続補正２】
【補正対象書類名】特許請求の範囲
【補正対象項目名】全文
【補正方法】変更
【補正の内容】
【特許請求の範囲】
【請求項１】
複数相の電力を送電する複数の電力線に接続され、各相の電圧を測定する電圧測定部と、
前記電力線の外周に配置された電流検出用素子を通じて、前記電力線に接続された機器に入力される電流、または前記機器から出力される電流を測定する電流測定部と、
前記電流測定部で測定された電流と前記電圧測定部で測定された電圧とから、前記機器に供給された電力量、または前記機器から供給された電力量を、前記電流検出用素子毎に測定する電力測定部と、
前記電流検出用素子が前記電力線に正しい向きで配置された場合に前記電力測定部で測定される電力量の符号が、正を示すか、負を示すかを、前記電流検出用素子毎に記憶する符号記憶部と、
前記符号記憶部に記憶された符号と前記電力測定部で測定された電力量の符号とが異なっていれば、前記電流検出用素子が前記電力線に誤った向きで配置されていると判定する判定部と、
前記電力線に前記電流検出用素子が正しい向きで配置された場合に前記電力測定部で測定される電力量の符号が、正を示すか、負を示すか、正と負との両方を示すかを、前記電力線を示す情報毎に記憶する電力線記憶部と、
前記電流検出用素子をどの電力線に配置したかを示す配置情報を、ユーザから受け付ける受付部と、
前記電力線に前記電流検出用素子が正しい向きで配置された場合に前記電力測定部で測定される電力量の符号が、正を示すか、負を示すか、正と負との両方を示すかを、前記受付部で受け付けられた前記配置情報と前記電力線記憶部に記憶された符号とに基づいて、前記電流検出用素子毎に特定し、特定した結果を、前記符号記憶部に記憶させる記憶制御部と、
を備える電力測定装置。
【請求項２】
複数相の電力を送電する複数の電力線に接続され、各相の電圧を測定する電圧測定部と、
前記電力線の外周に配置された電流検出用素子を通じて、前記電力線に接続された機器に入力される電流、または前記機器から出力される電流を測定する電流測定部と、
前記電流測定部で測定された電流と前記電圧測定部で測定された電圧とから、前記機器に供給された電力量、または前記機器から供給された電力量を、前記電流検出用素子毎に測定する電力測定部と、
前記電流検出用素子が前記電力線に正しい向きで配置された場合に前記電力測定部で測定される電力量の符号が、正を示すか、負を示すかを、前記電流検出用素子毎に記憶する符号記憶部と、
前記符号記憶部に記憶された符号と前記電力測定部で測定された電力量の符号とが異なっていれば、前記電流検出用素子が前記電力線に誤った向きで配置されていると判定する判定部と、
を備え、
前記機器に接続された電力線は、主開閉器の一方の端子に接続されており、
前記主開閉器は、他方の端子に、外部の電線に接続された分配線が接続されており、
前記電流検出用素子は、更に、前記分配線の外周に配置されており、
前記電力測定部は、更に、前記主開閉器に接続された分配線を通じて前記外部の電線に接続されている外部の負荷に供給された電力量を、前記分配線の外周に配置された電流検出用素子毎に測定するものであり、
前記符号記憶部は、更に、前記電力線または前記分配線に前記電流検出用素子が正しい向きで配置された場合に前記電力測定部で測定される電力量の符号が、正を示すか、負を示すか、正と負との両方を示すかを、前記電流検出用素子毎に記憶するものであり、
前記分配線に配置された前記電流検出用素子毎に前記電力測定部で測定された電力量の符号と一致する符号を、前記分配線に配置された前記電流検出用素子毎に前記符号記憶部に記憶された符号から特定し、その特定した符号が、前記分配線から前記外部の電線に向けて電流が流れていることを示している場合、前記分配線から前記外部の電線に向けて電流が流れていると判定する電流判定部と、
前記分配線から前記外部の電線に向けて電流が流れていると前記電流判定部で判定された場合、前記電力線に配置された前記電流検出用素子毎に前記電力測定部で測定された電力量の符号と一致する符号を、前記電力線に配置された前記電流検出用素子毎に前記符号記憶部に記憶された符号から特定し、その特定した符号が、前記電力線に前記機器から出力された電流が流れていることを示している場合、前記機器から出力された電流を流している状態の電力線を示す情報を特定する特定部と、
前記電力測定部で測定された電力量から求められた、前記外部の電線を通じて前記外部の負荷に供給した電力量が、前記電力測定部で測定された電力量から求められた、前記特定部で特定された情報で示される電力線を通じて供給した電力量の合計値以下であるかを判定する合計値判定部と、
前記外部の負荷に供給した電力量が前記合計値を超えていると前記合計値判定部で判定されると、前記電流検出用素子が前記電力線に誤った向きで配置されていると判定する誤配置判定部と、
を備える電力測定装置。
【請求項３】
前記電流検出用素子が前記電力線に誤った向きで配置されていると前記誤配置判定部で判定されると、前記電流検出用素子が前記電力線に誤った向きで配置されていることを報知する報知部、
を備える請求項２に記載の電力測定装置。
【請求項４】
前記電圧測定部は、前記電力線に接続された端子を通じて、各相の電圧を測定するものであり、
前記電圧測定部で測定された各相の電圧が予め定められた範囲内であるかを判定する電圧判定部を備え、
前記報知部は、前記測定された各相の電圧が予め定められた範囲外であると判定すると、前記端子が前記電力線に誤って接続されていることを報知する、
請求項３に記載の電力測定装置。
【請求項５】
前記電流検出用素子が前記電力線に正しい向きで配置されていると前記判定部で判定された場合、前記電力測定部で測定された電力量を外部の装置に出力する出力部、
を備える請求項１から４のいずれかに記載の電力測定装置。
【請求項６】
電流検出用素子が正しい向きで配置されているか否かを判定するための判定方法であって、
複数相の電力を送電する複数の電力線に印加されている各相の電圧を、電力測定装置が測定する電圧測定ステップと、
前記電力線の外周に配置された電流検出用素子を通じて、前記電力線に接続された機器に入力される電流、または前記機器から出力される電流を、前記電力測定装置が測定する電流測定ステップと、
前記電流測定ステップで測定された電流と前記電圧測定ステップで測定された電圧とから、前記機器に供給された電力量、または前記機器から供給された電力量を、前記電流検出用素子毎に前記電力測定装置が測定する電力測定ステップと、
前記電流検出用素子が前記電力線に正しい向きで配置された場合に前記電力測定ステップで測定される電力量の符号が、正を示すか、負を示すかを前記電流検出用素子毎に表した情報に含まれている符号と、前記電力測定ステップで前記電流検出用素子毎に測定された電力量の符号とが、異なっていれば、前記電流検出用素子が前記電力線に誤った向きで配置されていると前記電力測定装置が判定する判定ステップと、
前記電力線に前記電流検出用素子が正しい向きで配置された場合に前記電力測定ステップで測定される電力量の符号が、正を示すか、負を示すか、正と負との両方を示すかを、前記電力線を示す情報毎に前記電力測定装置が記憶する電力線記憶ステップと、
前記電流検出用素子をどの電力線に配置したかを示す配置情報を、前記電力測定装置がユーザから受け付ける受付ステップと、
前記電力線に前記電流検出用素子が正しい向きで配置された場合に前記電力測定ステップで測定される電力量の符号が、正を示すか、負を示すか、正と負との両方を示すかを、前記受付ステップで受け付けられた前記配置情報と前記電力線記憶ステップで記憶された符号とに基づいて、前記電流検出用素子毎に特定し、特定した結果を、前記電力測定装置が前記電流検出用素子毎に表した情報に含ませる記憶制御ステップと、
を含む判定方法。
【請求項７】
電流検出用素子が正しい向きで配置されているか否かを判定するための判定方法であって、
複数相の電力を送電する複数の電力線に印加されている各相の電圧を、電力測定装置が測定する電圧測定ステップと、
前記電力線の外周に配置された電流検出用素子を通じて、前記電力線に接続された機器に入力される電流、または前記機器から出力される電流を、前記電力測定装置が測定する電流測定ステップと、
前記電流測定ステップで測定された電流と前記電圧測定ステップで測定された電圧とから、前記機器に供給された電力量、または前記機器から供給された電力量を、前記電流検出用素子毎に前記電力測定装置が測定する電力測定ステップと、
前記電流検出用素子が前記電力線に正しい向きで配置された場合に前記電力測定ステップで測定される電力量の符号が、正を示すか、負を示すかを前記電流検出用素子毎に表した情報に含まれている符号と、前記電力測定ステップで前記電流検出用素子毎に測定された電力量の符号とが、異なっていれば、前記電流検出用素子が前記電力線に誤った向きで配置されていると前記電力測定装置が判定する判定ステップと、
を含み、
前記機器に接続された電力線は、主開閉器の一方の端子に接続されており、
前記主開閉器は、他方の端子に、外部の電線に接続された分配線が接続されており、
前記電流検出用素子は、更に、前記分配線の外周に配置されており、
前記電力測定ステップは、更に、前記主開閉器に接続された分配線を通じて前記外部の電線に接続されている外部の負荷に供給された電力量を、前記分配線の外周に配置された電流検出用素子毎に測定するものであり、
前記電流検出用素子毎に表した情報には、更に、前記電力線または前記分配線に前記電流検出用素子が正しい向きで配置された場合に前記電力測定ステップで測定される電力量の符号が、正を示すか、負を示すか、正と負との両方を示すかを、前記電流検出用素子毎に含んでおり、
前記分配線に配置された前記電流検出用素子毎に前記電力測定ステップで測定された電力量の符号と一致する符号を、前記電流検出用素子毎に表した情報に含まれている、前記分配線に配置された前記電流検出用素子毎の符号から特定し、その特定した符号が、前記分配線から前記外部の電線に向けて電流が流れていることを示している場合、前記分配線から前記外部の電線に向けて電流が流れていると前記電力測定装置が判定する電流判定ステップと、
前記分配線から前記外部の電線に向けて電流が流れていると前記電流判定ステップで判定された場合、前記電力線に配置された前記電流検出用素子毎に前記電力測定ステップで測定された電力量の符号と一致する符号を、前記電流検出用素子毎に表した情報に含まれている、前記電力線に配置された前記電流検出用素子毎の符号から特定し、その特定した符号が、前記電力線に前記機器から出力された電流が流れていることを示している場合、前記機器から出力された電流を流している状態の電力線を示す情報を前記電力測定装置が特定する特定ステップと、
前記電力測定ステップで測定された電力量から求められた、前記外部の電線を通じて前記外部の負荷に供給した電力量が、前記電力測定ステップで測定された電力量から求められた、前記特定ステップで特定された情報で示される電力線を通じて供給した電力量の合計値以下であるかを前記電力測定装置が判定する合計値判定ステップと、
前記外部の負荷に供給した電力量が前記合計値を超えていると前記合計値判定ステップで判定されると、前記電流検出用素子が前記電力線に誤った向きで配置されていると前記電力測定装置が判定する誤配置判定ステップと、
を含む判定方法。
【請求項８】
コンピュータに、
複数相の電力を送電する複数の電力線に印加されている各相の電圧を測定する電圧測定部から、前記各相の電圧の測定値を受け取る電圧測定機能、
前記電力線の外周に配置された電流検出用素子を通じて、前記電力線に接続された機器に入力される電流、または前記機器から出力される電流を測定する電流測定部から、前記電流の測定値を受け取る電流測定機能、
前記電流測定機能で受け取られた電流の測定値と前記電圧測定機能で受け取られた電圧の測定値とから、前記機器に供給された電力量、または前記機器から供給された電力量を、前記電流検出用素子毎に測定する電力測定機能、
前記電流検出用素子が前記電力線に正しい向きで配置された場合に前記電力測定機能で測定される電力量の符号が、正を示すか、負を示すかを前記電流検出用素子毎に表した情報に含まれている符号と、前記電力測定機能で前記電流検出用素子毎に測定された電力量の符号とが、異なっていれば、前記電流検出用素子が前記電力線に誤った向きで配置されていると判定する判定機能、
前記電力線に前記電流検出用素子が正しい向きで配置された場合に前記電力測定機能で測定される電力量の符号が、正を示すか、負を示すか、正と負との両方を示すかを、前記電力線を示す情報毎に記憶する電力線記憶機能、
前記電流検出用素子をどの電力線に配置したかを示す配置情報を、ユーザから受け付ける受付機能、
前記電力線に前記電流検出用素子が正しい向きで配置された場合に前記電力測定機能で測定される電力量の符号が、正を示すか、負を示すか、正と負との両方を示すかを、前記受付機能で受け付けられた前記配置情報と前記電力線記憶機能で記憶された符号とに基づいて、前記電流検出用素子毎に特定し、特定した結果を、前記電流検出用素子毎に表した情報に含ませる記憶制御機能、
を実現させるプログラム。
【請求項９】
コンピュータに、
複数相の電力を送電する複数の電力線に印加されている各相の電圧を測定する電圧測定部から、前記各相の電圧の測定値を受け取る電圧測定機能、
前記電力線の外周に配置された電流検出用素子を通じて、前記電力線に接続された機器に入力される電流、または前記機器から出力される電流を測定する電流測定部から、前記電流の測定値を受け取る電流測定機能、
前記電流測定機能で受け取られた電流の測定値と前記電圧測定機能で受け取られた電圧の測定値とから、前記機器に供給された電力量、または前記機器から供給された電力量を、前記電流検出用素子毎に測定する電力測定機能、
前記電流検出用素子が前記電力線に正しい向きで配置された場合に前記電力測定機能で測定される電力量の符号が、正を示すか、負を示すかを前記電流検出用素子毎に表した情報に含まれている符号と、前記電力測定機能で前記電流検出用素子毎に測定された電力量の符号とが、異なっていれば、前記電流検出用素子が前記電力線に誤った向きで配置されていると判定する判定機能、
を実現させるプログラムであって、
前記機器に接続された電力線は、主開閉器の一方の端子に接続されており、
前記主開閉器は、他方の端子に、外部の電線に接続された分配線が接続されており、
前記電流検出用素子は、更に、前記分配線の外周に配置されており、
前記電力測定機能では、更に、前記主開閉器に接続された分配線を通じて前記外部の電線に接続されている外部の負荷に供給された電力量を、前記分配線の外周に配置された電流検出用素子毎に測定するものであり、
前記電流検出用素子毎に表した情報には、更に、前記電力線または前記分配線に前記電流検出用素子が正しい向きで配置された場合に前記電力測定機能で測定される電力量の符号が、正を示すか、負を示すか、正と負との両方を示すかを、前記電流検出用素子毎に含んでおり、
前記分配線に配置された前記電流検出用素子毎に前記電力測定機能で測定された電力量の符号と一致する符号を、前記電流検出用素子毎に表した情報に含まれている、前記分配線に配置された前記電流検出用素子毎の符号から特定し、その特定した符号が、前記分配線から前記外部の電線に向けて電流が流れていることを示している場合、前記分配線から前記外部の電線に向けて電流が流れていると判定する電流判定機能、
前記分配線から前記外部の電線に向けて電流が流れていると前記電流判定機能で判定された場合、前記電力線に配置された前記電流検出用素子毎に前記電力測定機能で測定された電力量の符号と一致する符号を、前記電流検出用素子毎に表した情報に含まれている、前記電力線に配置された前記電流検出用素子毎の符号から特定し、その特定した符号が、前記電力線に前記機器から出力された電流が流れていることを示している場合、前記機器から出力された電流を流している状態の電力線を示す情報を特定する特定機能、
前記電力測定機能で測定された電力量から求められた、前記外部の電線を通じて前記外部の負荷に供給した電力量が、前記電力測定機能で測定された電力量から求められた、前記特定機能で特定された情報で示される電力線を通じて供給した電力量の合計値以下であるかを判定する合計値判定機能、
前記外部の負荷に供給した電力量が前記合計値を超えていると前記合計値判定機能で判定されると、前記電流検出用素子が前記電力線に誤った向きで配置されていると判定する誤配置判定機能、
を実現させるプログラム。